(57)【要約】ベース部及びカートリッジを有する捕虫装置が提供される。カートリッジは、カートリッジがベース部に取り付けられているときにシュラウドに近接して位置付けられる粘着性部分を有する。シュラウドは、シュラウド及び粘着性部分を加熱する電気発熱体を有する。熱制御回路は、温度フィードバックループに基づいて電気発熱体によって行われる加熱を調節する。加熱された粘着性部分は、生体組織を模倣して虫誘引要素として機能する。
2019517827.tif 000002
【特許請求の範囲】
【請求項１】
前面を有する、起立したシュラウドを含む、ベース部であって、前記シュラウドは、前記シュラウドの内部に配置された、前記シュラウドの前記前面を加熱するための電気発熱体を有する、ベース部と、
前記ベース部に取り外し可能に係合したカートリッジであって、前記カートリッジは、飛ぶ虫又は這う虫を受け入れるための開口部、及び、前記カートリッジが前記ベース部と係合しているときに、前記シュラウドが通過する底部開口部を画定し、前記カートリッジは、前記虫を捕獲するための粘着性部分を含み、前記粘着性部分は、表面及び裏面を有する、カートリッジと、
前記シュラウドの外側にある光源であって、前記光源は、前記カートリッジが前記ベース部と係合しているときに、前記シュラウドの前記前面の少なくとも一部分、及び前記粘着性部分の前記裏面の少なくとも一部分を照らす光を生成し、前記前面の前記一部分を照らす前記光の少なくとも一部分は、前記前面により、前記粘着性部分の前記裏面に向かって反射される、光源と、を含む、捕虫装置。
【請求項２】
前記前面は、前記電気発熱体によって加熱可能であり、前記前面は、前記カートリッジが前記ベース部と係合しているとき、前記粘着性部分に近接して配置され、前記前面は、前記電気発熱体によって加熱されたとき、１時間未満で定常状態平均温度に達する、請求項１に記載の捕虫装置。
【請求項３】
前記シュラウドの前記前面の前記定常状態平均温度は、周囲温度２３℃において、約４０℃〜約５０℃である、請求項２に記載の捕虫装置。
【請求項４】
前記シュラウドの前記前面は、周囲温度２３℃において、前記定常状態平均温度の±３．３℃以内の最小及び最大定常状態温度を有する、請求項３に記載の捕虫装置。
【請求項５】
前記粘着性部分は、周囲温度２３℃において、約３２℃〜約３８℃の定常状態平均温度を有する、請求項１〜４のいずれか一項に記載の捕虫装置。
【請求項６】
前記粘着性部分は、周囲温度３０℃において、約３５℃〜約４０．５℃の定常状態平均温度を有する、請求項１〜５のいずれか一項に記載の捕虫装置。
【請求項７】
前記粘着性部分は、前記定常状態平均温度の±１．５℃以内の最小及び最大定常状態温度を有する、請求項５又は６に記載の捕虫装置。
【請求項８】
前記シュラウドの前記前面は、凹面形状である、請求項１〜７のいずれか一項に記載の捕虫装置。
【請求項９】
前記カートリッジが前記ベース部と係合しているとき、前記シュラウドの側縁部は、前記シュラウドの幾何中心よりも、前記粘着性部分に近接している、請求項８に記載の捕虫装置。
【請求項１０】
前記シュラウドの前記側縁部と前記粘着性部分との間の間隔は、約０．５ｍｍ〜約３ｍｍである、請求項９に記載の捕虫装置。
【請求項１１】
前記シュラウドの前記幾何中心と前記粘着性部分との間の前記間隔は、約４ｍｍ〜約１２ｍｍである、請求項９又は１０に記載の捕虫装置。
【請求項１２】
前記光源は、１つ又は２つ以上のＬＥＤを含み、前記１つ又は２つ以上のＬＥＤはそれぞれ、直径が約０．５ｍｍ〜約１０ｍｍである、請求項１〜１１のいずれか一項に記載の捕虫装置。
【請求項１３】
前記光源は、前記シュラウドの前記前面と前記粘着性部分の裏面との間に配置されている、請求項１〜１２のいずれか一項に記載の捕虫装置。
【請求項１４】
前記シュラウドの前記前面の一部分は、粗面化されている、請求項１〜１３のいずれか一項に記載の捕虫装置。
【請求項１５】
粗面化された、前記シュラウドの前記前面の前記一部分は、ＳＰＩ  Ａ−１程度〜ＳＰＩ  Ｄ−３程度の表面粗さ（Ｒａ）を有する、請求項１４に記載の捕虫装置。
【請求項１６】
粗面化された、前記シュラウドの前記前面の前記一部分の表面積は、前記シュラウドの前記前面の表面積の約７０％〜約１００％である、請求項１５に記載の捕虫装置。
【請求項１７】
前記カートリッジは、虫誘引組成物を格納するリザーバを更に含む、請求項１〜１６のいずれか一項に記載の捕虫装置。
【請求項１８】
前記リザーバは、湾曲した前壁、及び実質的に平らな後壁により画定されている、請求項１７に記載の捕虫装置。
【請求項１９】
前記カートリッジが前記ベース部と係合しているとき、前記リザーバは、前記ベース部内に延びている、請求項１７又は１８に記載の捕虫装置。
【請求項２０】
前記粘着性部分は、前記リザーバ内に延びている、請求項１７〜１９のいずれか一項に記載の捕虫装置。
【請求項２１】
前記リザーバは、前記虫誘引組成物と前記粘着性部分との間に配置された開口部を更に画定している、請求項１７〜２０のいずれか一項に記載の捕虫装置。
【請求項２２】
前記リザーバの深さは、約０．２ｃｍ〜約４ｃｍである、請求項１７〜２１のいずれか一項に記載の捕虫装置。
【請求項２３】
前記ベース部は、回路基板を更に含み、前記回路基板は、前記カートリッジが前記ベース部と係合しているとき、前記リザーバの後方に配置される、請求項１７〜２２のいずれか一項に記載の捕虫装置。
【請求項２４】
前記カートリッジは、垂下タブを更に含み、前記垂下タブは、前記カートリッジが前記ベース部と係合しているときに、前記ベース部のスイッチと係合する、請求項１〜２３のいずれか一項に記載の捕虫装置。
【請求項２５】
前記粘着性部分の表面積は、約２５ｃｍ２〜約１５０ｃｍ２である、請求項１〜２４のいずれか一項に記載の捕虫装置。
【請求項２６】
前記ベース部は、前記ベース部に電力を供給するために、電気ソケットに挿し込み可能である突起部を更に含む、請求項１〜２５のいずれか一項に記載の捕虫装置。
【請求項２７】
前記ベース部は、前記光源を含む、請求項１〜２６のいずれか一項に記載の捕虫装置。
【請求項２８】
前記カートリッジは、前記光源を含む、請求項１〜２７のいずれか一項に記載の捕虫装置。
【請求項２９】
前記ベース部は、前記カートリッジが前記ベース部と係合しているときに、前記光源に電力を供給するための接点を含む、請求項２８に記載の捕虫装置。
【請求項３０】
前記シュラウドの前記前面の表面積は、前記粘着性部分の前記裏面の表面積の５０％、６０％、７０％、８０％、９０％、又はそれ以上である、請求項１〜２９のいずれか一項に記載の捕虫装置。
【請求項３１】
前記電気発熱体は、使用中において、約５０℃〜約７０℃の温度に達する、請求項１〜３０のいずれか一項に記載の捕虫装置。
【請求項３２】
前記光源は、前記シュラウドの底部近くに位置する、請求項１〜３１のいずれか一項に記載の捕虫装置。
【請求項３３】
前記光源は、前記ベース部内部に配置されている、請求項３２に記載の捕虫装置。
【請求項３４】
前記電気発熱体は、光源ではない、請求項１〜３３のいずれか一項に記載の捕虫装置。
【請求項３５】
前記シュラウドの前記前面の前記一部分は、不透明である、請求項１〜３４のいずれか一項に記載の捕虫装置。
【請求項３６】
前記シュラウドは、内部に空洞を有し、前記電気発熱体は、前記シュラウドの前記空洞内に配置されている、請求項１〜３５のいずれか一項に記載の捕虫装置。
【請求項３７】
前記粘着性部分の前記裏面は、実質的に平らである、請求項１〜３６のいずれか一項に記載の捕虫装置。
【請求項３８】
前記電気発熱体は、ＰＴＣ発熱体を含み、前記ＰＴＣ発熱体は、金属板と熱的に接触している、請求項１〜３７のいずれか一項に記載の捕虫装置。
【請求項３９】
前記ＰＴＣ発熱体は、約５０℃〜約７０℃の設定点温度（Ｔｓ）を有する、請求項３８に記載の捕虫装置。
【請求項４０】
前記金属板の厚さは、約０．２５ｍｍ〜約１．５ｍｍである、請求項３８又は３９に記載の捕虫装置。
【請求項４１】
前記金属板は、アルミニウム製である、請求項３８〜４０のいずれか一項に記載の捕虫装置。
【請求項４２】
前記金属板は、５ｃｍを超える幅を有する、請求項３８〜４１のいずれか一項に記載の捕虫装置。
【請求項４３】
前記金属板の表面積は、約２３ｃｍ２〜約１４８ｃｍ２である、請求項３８〜４２のいずれか一項に記載の捕虫装置。
【請求項４４】
前記電気発熱体は、前記シュラウドの前記前面を加熱するための少なくとも１つの抵抗体を含み、前記ベース部は、前記電気発熱体によって誘導された温度を感知するための、温度センサを更に含む、請求項１〜３７のいずれか一項に記載の捕虫装置。
【請求項４５】
前記温度センサは、前記シュラウドに関連する温度を感知するために、前記シュラウド内に配置されている、請求項４４に記載の捕虫装置。
【請求項４６】
前記少なくとも１つの抵抗体は、約０．５、２、２．５Ｗ〜約３．５、４、１５Ｗ、好ましくは、約２．５Ｗ〜約３．５Ｗの総電力定格を有する、請求項４４又は４５に記載の捕虫装置。
【請求項４７】
前記少なくとも１つの抵抗体の抵抗値は、約１．５ｋΩ、３ｋΩ、３．５ｋΩ〜約４ｋ、４．５ｋ、５．５ｋであり、好ましくは、３．５ｋΩ〜４ｋΩである、請求項４４〜４６のいずれか一項に記載の捕虫装置。
【請求項４８】
前記少なくとも１つの抵抗体に、前記少なくとも１つの抵抗体において約１Ｗ〜約３Ｗの電力が消費されるような電流及び電圧が供給される、請求項４４〜４７のいずれか一項に記載の捕虫装置。
【請求項４９】
熱制御回路を更に含み、前記熱制御回路は、前記電気発熱体と前記温度センサを含む、請求項４４〜４８のいずれか一項に記載の捕虫装置。
【請求項５０】
前記熱制御回路は、制御部とスイッチング素子を含み、前記制御部は、前記スイッチング素子及び前記温度センサと電気的に接続しており、前記スイッチング素子は、前記制御部により、導通状態と、前記発熱体を電源から電気的に絶縁する非導通状態との間で切替可能である、請求項４９に記載の捕虫装置。
【請求項５１】
前記温度センサの感知温度が第１の温度閾値を超えた場合、前記スイッチング素子は、前記制御部により、前記非導通状態に切り替えられ、前記温度センサの感知温度が第２の温度閾値未満となった場合、前記スイッチング素子は、前記制御部により、前記導通状態に切り替えられる、請求項５０に記載の捕虫装置。
【請求項５２】
温度センサは、感知温度に基づく基準出力を生成し、前記基準出力は、前記制御部により受け取られる、請求項５０又は５１に記載の捕虫装置。
【請求項５３】
前記第１の温度閾値は、４８℃である、請求項５１又は５２に記載の捕虫装置。
【請求項５４】
前記第２の温度閾値は、４０℃である、請求項５１〜５３のいずれか一項に記載の捕虫装置。
【請求項５５】
前記温度センサが４０℃未満の温度を感知した場合、前記熱制御回路は、前記電気発熱体の両端に実質的に一定の電圧を供給する、請求項５１〜５４のいずれか一項に記載の捕虫装置。
【請求項５６】
少なくとも部分的に前記シュラウド内に配置された金属板を更に含む、請求項４４〜５５のいずれか一項に記載の捕虫装置。
【請求項５７】
前記電気発熱体及び前記温度センサは、前記金属板に取り付けられている、請求項５６に記載の捕虫装置。
【請求項５８】
前面を有する、起立したシュラウドを含む、ベース部であって、前記シュラウドは、前記シュラウドの内部に配置された、前記シュラウドの前記前面を加熱するための電気発熱体を有し、前記電気発熱体は、前記シュラウドを加熱するための、少なくとも１つの抵抗体を含む、ベース部と、
前記ベース部に取り外し可能に係合したカートリッジであって、前記カートリッジは、飛ぶ虫又は這う虫を受け入れるための開口部、及び、前記カートリッジが前記ベース部と係合しているときに、前記シュラウドが通過する底部開口部を画定し、前記カートリッジは、前記虫を捕獲するための粘着性部分を含み、前記粘着性部分は、表面及び裏面を有する、カートリッジと、
前記電気発熱体の両端に、電圧を断続的に供給する熱制御回路と、を含む、捕虫装置であって、前記熱制御回路は、
前記電気発熱体によって誘導された温度を感知するための、温度センサと、
前記温度センサと電気的に接続している制御部と、
前記制御部と電気的に接続しているスイッチング素子であって、前記スイッチング素子は、前記制御部により、導通状態と、前記電気発熱体を電源から電気的に絶縁する非導通状態との間で切替可能であり、前記温度センサの感知温度が第１の温度閾値を超えた場合、前記スイッチング素子は、前記制御部により、前記非導通状態に切り替えられ、前記温度センサの感知温度が第２の温度閾値未満となった場合、前記スイッチング素子は、前記制御部により、前記導通状態に切り替えられる、スイッチング素子と、を含む、捕虫装置。
【請求項５９】
前記シュラウドの外側にある光源であって、前記光源は、前記カートリッジが前記ベース部と係合しているときに、前記シュラウドの前記前面の少なくとも一部分、及び前記粘着性部分の前記裏面の少なくとも一部分を照らす光を生成し、前記前面の前記一部分を照らす前記光の少なくとも一部分は、前記前面により、前記粘着性部分の前記裏面に向かって反射される、光源を更に含む、請求項５８に記載の捕虫装置。
【請求項６０】
前記前面は、前記電気発熱体によって加熱可能であり、前記前面は、前記カートリッジが前記ベース部と係合しているとき、前記粘着性部分に近接して配置され、前記前面は、前記電気発熱体によって加熱されたとき、１時間未満で定常状態平均温度に達する、請求項５８又は５９に記載の捕虫装置。
【請求項６１】
前記シュラウドの前記前面の前記定常状態平均温度は、周囲温度２３℃において、約４０℃〜約５０℃である、請求項５８〜６０のいずれか一項に記載の捕虫装置。
【請求項６２】
前記シュラウドの前記前面は、周囲温度２３℃において、前記定常状態平均温度の±３．３℃以内の最小及び最大定常状態温度を有する、請求項６１に記載の捕虫装置。
【請求項６３】
前記粘着性部分は、周囲温度２３℃において、約３２℃〜約３８℃の定常状態平均温度を有する、請求項５８〜６２のいずれか一項に記載の捕虫装置。
【請求項６４】
前記粘着性部分は、周囲温度３０℃において、約３５℃〜約４０．５℃の定常状態平均温度を有する、請求項５８〜６３のいずれか一項に記載の捕虫装置。
【請求項６５】
前記粘着性部分は、前記定常状態平均温度の±１．５℃以内の最小及び最大定常状態温度を有する、請求項６３又は６４に記載の捕虫装置。
【請求項６６】
前記シュラウドの前記前面は、凹面形状である、請求項５８〜６５のいずれか一項に記載の捕虫装置。
【請求項６７】
前記カートリッジが前記ベース部と係合しているとき、前記シュラウドの側縁部は、前記シュラウドの幾何中心よりも、前記粘着性部分に近接している、請求項６６に記載の捕虫装置。
【請求項６８】
前記シュラウドの前記側縁部と前記粘着性部分との間の間隔は、約０．５ｍｍ〜約３ｍｍである、請求項６７に記載の捕虫装置。
【請求項６９】
前記シュラウドの前記幾何中心と前記粘着性部分との間の前記間隔は、約４ｍｍ〜約１２ｍｍである、請求項６７又は６８に記載の捕虫装置。
【請求項７０】
前記光源は、１つ又は２つ以上のＬＥＤを含み、前記１つ又は２つ以上のＬＥＤはそれぞれ、直径が約０．５ｍｍ〜約１０ｍｍである、請求項５８〜６９のいずれか一項に記載の捕虫装置。
【請求項７１】
前記光源は、前記シュラウドの前記前面と前記粘着性部分の裏面との間に配置されている、請求項５８〜７０のいずれか一項に記載の捕虫装置。
【請求項７２】
前記シュラウドの前記前面の一部分は、粗面化されている、請求項５８〜７１のいずれか一項に記載の捕虫装置。
【請求項７３】
粗面化された、前記シュラウドの前記前面の前記一部分は、ＳＰＩ  Ａ−１程度〜ＳＰＩ  Ｄ−３程度の表面粗さ（Ｒａ）を有する、請求項７２に記載の捕虫装置。
【請求項７４】
粗面化された、前記シュラウドの前記前面の前記一部分の表面積は、前記シュラウドの前記前面の表面積の約７０％〜約１００％である、請求項７３に記載の捕虫装置。
【請求項７５】
前記カートリッジは、虫誘引組成物を格納するリザーバを更に含む、請求項５８〜７４のいずれか一項に記載の捕虫装置。
【請求項７６】
前記リザーバは、湾曲した前壁、及び実質的に平らな後壁により画定されている、請求項７５に記載の捕虫装置。
【請求項７７】
前記カートリッジが前記ベース部と係合しているとき、前記リザーバは、前記ベース部内に延びている、請求項７５又は７６に記載の捕虫装置。
【請求項７８】
前記粘着性部分は、前記リザーバ内に延びている、請求項７５〜７７のいずれか一項に記載の捕虫装置。
【請求項７９】
前記リザーバは、前記虫誘引組成物と前記粘着性部分との間に配置された開口部を更に画定している、請求項７５〜７８のいずれか一項に記載の捕虫装置。
【請求項８０】
前記リザーバの深さは、約０．２ｃｍ〜約４ｃｍである、請求項７５〜７９のいずれか一項に記載の捕虫装置。
【請求項８１】
前記ベース部は、回路基板を更に含み、前記回路基板は、前記カートリッジが前記ベース部と係合しているとき、前記リザーバの後方に配置される、請求項７５〜８０のいずれか一項に記載の捕虫装置。
【請求項８２】
前記カートリッジは、垂下タブを更に含み、前記垂下タブは、前記カートリッジが前記ベース部と係合しているときに、前記ベース部のスイッチと係合する、請求項５８〜８１のいずれか一項に記載の捕虫装置。
【請求項８３】
前記粘着性部分の表面積は、約２５ｃｍ２〜約１５０ｃｍ２である、請求項５８〜８２のいずれか一項に記載の捕虫装置。
【請求項８４】
前記ベース部は、前記ベース部に電力を供給するために、電気ソケットに挿し込み可能である突起部を更に含む、請求項５８〜８３のいずれか一項に記載の捕虫装置。
【請求項８５】
前記ベース部は、前記光源を含む、請求項５８〜８４のいずれか一項に記載の捕虫装置。
【請求項８６】
前記カートリッジは、前記光源を含む、請求項５８〜８５のいずれか一項に記載の捕虫装置。
【請求項８７】
前記ベース部は、前記カートリッジが前記ベース部と係合しているときに、前記光源に電力を供給するための接点を含む、請求項８６に記載の捕虫装置。
【請求項８８】
前記シュラウドの前記前面の表面積は、前記粘着性部分の前記裏面の表面積の５０％、６０％、７０％、８０％、９０％、又はそれ以上である、請求項５８〜８７のいずれか一項に記載の捕虫装置。
【請求項８９】
前記電気発熱体は、使用中において、約５０℃〜約７０℃の温度に達する、請求項５８〜８８のいずれか一項に記載の捕虫装置。
【請求項９０】
前記光源は、前記シュラウドの底部近くに位置する、請求項５８〜８９のいずれか一項に記載の捕虫装置。
【請求項９１】
前記光源は、前記ベース部内部に配置されている、請求項９０に記載の捕虫装置。
【請求項９２】
前記電気発熱体は、光源ではない、請求項５８〜９１のいずれか一項に記載の捕虫装置。
【請求項９３】
前記シュラウドの前記前面の前記一部分は、不透明である、請求項５８〜９２のいずれか一項に記載の捕虫装置。
【請求項９４】
前記シュラウドは、内部に空洞を有し、前記電気発熱体は、前記シュラウドの前記空洞内に配置されている、請求項５８〜９３のいずれか一項に記載の捕虫装置。
【請求項９５】
前記粘着性部分の前記裏面は、実質的に平らである、請求項５８〜９４のいずれか一項に記載の捕虫装置。
【請求項９６】
金属板を更に含み、前記電気発熱体は、金属板と熱的に接触している、請求項５８〜９５のいずれか一項に記載の捕虫装置。
【請求項９７】
前記温度センサは、金属板と熱的に接触している、請求項９６に記載の捕虫装置。
【請求項９８】
前記金属板の厚さは、約０．２５ｍｍ〜約１．５ｍｍである、請求項９６又は９７に記載の捕虫装置。
【請求項９９】
前記金属板は、アルミニウム製である、請求項９６〜９８のいずれか一項に記載の捕虫装置。
【請求項１００】
前記金属板は、５ｃｍを超える幅を有する、請求項９６〜９９のいずれか一項に記載の捕虫装置。
【請求項１０１】
前記金属板の表面積は、約２３ｃｍ２〜約１４８ｃｍ２である、請求項９６〜１００のいずれか一項に記載の捕虫装置。
【請求項１０２】
前記温度センサは、前記シュラウドに関連する温度を感知するために、前記シュラウド内に配置されている、請求項５８〜１０１のいずれか一項に記載の捕虫装置。
【請求項１０３】
前記少なくとも１つの抵抗体は、約０．５、２、２．５Ｗ〜約３．５、４、１５Ｗ、好ましくは、約２．５Ｗ〜約３．５Ｗの総電力定格を有する、請求項５８〜１０２のいずれか一項に記載の捕虫装置。
【請求項１０４】
前記少なくとも１つの抵抗体の抵抗値は、約１．５ｋΩ、３ｋΩ、３．５ｋΩ〜約４ｋ、４．５ｋ、５．５ｋであり、好ましくは、３．５ｋΩ〜４ｋΩである、請求項５８〜１０３のいずれか一項に記載の捕虫装置。
【請求項１０５】
前記少なくとも１つの抵抗体に、前記少なくとも１つの抵抗体において約１Ｗ〜約３Ｗが消費されるような電流及び電圧が供給される、請求項５８〜１０４のいずれか一項に記載の捕虫装置。
【請求項１０６】
温度センサは、感知温度に基づく基準出力を生成し、前記基準出力は、前記制御部により受け取られる、請求項５８又は１０５に記載の捕虫装置。
【請求項１０７】
前記第１の温度閾値は、４８℃である、請求項５８又は１０６に記載の捕虫装置。
【請求項１０８】
前記第２の温度閾値は、４０℃である、請求項５８〜１０７のいずれか一項に記載の捕虫装置。
【請求項１０９】
少なくとも部分的に前記シュラウド内に配置された金属板を更に含む、請求項５８〜１０８のいずれか一項に記載の捕虫装置。
【発明の詳細な説明】
【技術分野】
【０００１】
本開示は、全般的には、捕虫装置に関し、より具体的には、加熱部品を有する持ち運び可能な捕虫装置に関する。
【背景技術】
【０００２】
これまで、種々の有害生物防除装置が、虫及び他の有害生物を捕獲するために使用されてきた。虫によって拡散される様々な疾患、感染及びその他の健康上のリスクが近年大幅に増加しているため、有害生物防除装置の必要性が増加するばかりである。そのような有害生物防除装置は、有害生物防除装置に有害生物を引き付ける誘引機構を一般的に採用している。例示的な誘引機構には、食品、光、熱、フェロモン又は有害生物を誘引することが見出された他の臭気物質などの誘引剤が挙げられる。いくつかの有害生物防除装置は、有害生物防除装置からの有害生物が逃げないようにするための固定化機構をこれまで含んでいた。使用された固定化機構の１種は、粘着剤でコーティングされた表面を有する板紙、紙又は他の媒体などの基材である。有害生物防除装置に誘引された又は粘着剤に偶然接触した有害生物は、粘着によって捕獲されることとなる。
【０００３】
一部の消費者にとっては、カ、ハエ、ガなどを含む多種多様な飛ぶ虫を同時に誘引かつ捕捉することができる有害生物防除装置を有することが好ましい。しかし、カは、特に危険な場合がある。いくつかの種類のカは、マラリア、デング熱、黄熱、西ナイルウイルス及びジカウイルスを含む多数の疾患のキャリアとして既知である。これらの疾患のうち、マラリアは、「最も流行し、最も悪性のヒトの疾患」として記述されてきた。Ｗｈｉｔｅ，Ｎ．，Ａｎｔｉｍａｌａｒｉａｌ  Ｄｒｕｇ  Ｒｅｓｉｓｔａｎｃｅ，Ｔｈｅ  Ｊｏｕｒｎａｌ  ｏｆ  Ｃｌｉｎｉｃａｌ  Ｉｎｖｅｓｔｉｇａｔｉｏｎ，Ｖｏｌ．１１３，ｎｏ．８（２００４）。２０１０年の時点で、世界保健機関は、マラリアが２億１９００万症例発生し、６６万人が死亡したと推定した。Ｄａｎｉｅｌ，Ｊ．，Ｄｒｕｇ  Ｒｅｓｉｓｔａｎｔ  Ｍａｌａｒｉａ−Ａ  Ｇｅｎｅｒａｔｉｏｎ  ｏｆ  Ｐｒｏｇｒｅｓｓ  ｉｎ  Ｊｅｏｐａｒｄｙ，Ｃｅｎｔｅｒ  ｆｏｒ  Ｓｔｒａｔｅｇｉｃ  ＆  Ｉｎｔｅｒｎａｔｉｏｎａｌ  Ｓｔｕｄｉｅｓ（２０１３）。不幸にも、マラリアは、５歳未満の小児について３番目に多い死因であり、１時間ごとに５０人以上が亡くなっている。同文献。いくつかのカの種は、ヒト病原体のキャリアであると考えられ、ネッタイシマカ、ヒトスジシマカ、エデス・カナデンシス、ガンビアハマダラカ、アノフェレス・フェヌストス（Anopheles Fenustus）、クレックス・アンヌリロトリス、クレックス・アンヌラス及びネッタイイエカなどがある。
【０００４】
熱は、カを誘引することが知られている。例えば、Ｍａｅｋａｗａ  ｅｔ  ａｌ．，Ｔｈｅ  Ｒｏｌｅ  ｏｆ  ｐｒｏｂｏｓｃｉｓ  ｏｆ  ｔｈｅ  ｍａｌａｒｉａ  ｖｅｃｔｏｒ  ｍｏｓｑｕｉｔｏ  Ａｎｏｐｈｅｌｅｓ  ｓｔｅｐｈｅｎｓｉ  ｉｎ  ｈｏｓｔ−ｓｅｅｋｉｎｇ  ｂｅｈａｖｉｏｒ，Ｐａｒａｓｉｔｅｓ  ａｎｄ  Ｖｅｃｔｏｒｓ，４：１０（２０１１）を参照されたい。Ｇｒｅｐｐｉらは、「カは、標的が周囲よりも高温となったときに強く誘引されたが、最大約５０℃までであった。標的がより高温になったとき、この誘引力が強く低下した」ことを観察した。Ｇｒｅｐｐｉ  ｅｔ  ａｌ．，Ｓｏｍｅ  ｌｉｋｅ  ｉｔ  ｈｏｔ，ｂｕｔ  ｎｏｔ  ｔｏｏ  ｈｏｔ，ｅＬｉｆｅ  ４：ｅ１２８３８（２０１５）。また、ＣｏＲｆａｓ  ｅｔ  ａｌ．，Ｔｈｅ  ｃａｔｉｏｎ  ｃｈａｎｎｅｌ  ＴＲＰＡ１  ｔｕｎｅｓ  ｍｏｓｑｕｉｔｏ  ｔｈｅｒｍｏｔａｘｉｓ  ｔｏ  ｈｏｓｔ  ｔｅｍｐｅｒａｔｕｒｅｓ，ｅＬｉｆｅ  ４：ｅ１１７５０（２０１５）を参照されたい。カ及び他の虫はまた、光源に誘引することもできる。例えば、Ｂｕｒｅｔｔ  ｅｔ  ａｌ．，Ｌａｂｏｒａｔｏｒｙ  ｅｖａｌｕａｔｉｏｎ  ｏｆ  ｃｏｌｏｒｅｄ  ｌｉｇｈｔ  ａｓ  ａｎ  ａｔｔｒａｃｔａｎｔ  ｆｏｒ  ｆｅｍａｌｅ  ａｅｄｅｓ  ａｇｙｐｔｉ，ａｅｄｅｓ  ａｌｂｏｐｉｃｔｕｓ，ａｎｏｐｈｅｌｅｓ  ｑｕａｄｒｉｍａｃｕｌａｔｕｓ  ａｎｄ  ｃｕｌｅｘ  ｎｉｇｒｉｐａｌｐｕｓ，Ｔｈｅ  Ｆｌｏｒｉｄａ  Ｅｎｔｏｍｏｌｏｇｉｓｔ，Ｖｏｌ．８８，Ｎｏ．４（２００５）を参照されたい。
【０００５】
虫を捕獲するための粘着剤を光及び熱と組み合わせた捕虫装置が既知であり、いくつかの例は、国際公開第２０１５／１６４，８４９号に記載されている。
【先行技術文献】
【特許文献】
【０００６】
【特許文献１】国際公開第２０１５／１６４，８４９号
【非特許文献】
【０００７】
【非特許文献１】Ｗｈｉｔｅ，Ｎ．，Ａｎｔｉｍａｌａｒｉａｌ  Ｄｒｕｇ  Ｒｅｓｉｓｔａｎｃｅ，Ｔｈｅ  Ｊｏｕｒｎａｌ  ｏｆ  Ｃｌｉｎｉｃａｌ  Ｉｎｖｅｓｔｉｇａｔｉｏｎ，Ｖｏｌ．１１３，ｎｏ．８（２００４）
【非特許文献２】Ｄａｎｉｅｌ，Ｊ．，Ｄｒｕｇ  Ｒｅｓｉｓｔａｎｔ  Ｍａｌａｒｉａ−Ａ  Ｇｅｎｅｒａｔｉｏｎ  ｏｆ  Ｐｒｏｇｒｅｓｓ  ｉｎ  Ｊｅｏｐａｒｄｙ，Ｃｅｎｔｅｒ  ｆｏｒ  Ｓｔｒａｔｅｇｉｃ  ＆  Ｉｎｔｅｒｎａｔｉｏｎａｌ  Ｓｔｕｄｉｅｓ（２０１３）
【非特許文献３】Ｍａｅｋａｗａ  ｅｔ  ａｌ．，Ｔｈｅ  Ｒｏｌｅ  ｏｆ  ｐｒｏｂｏｓｃｉｓ  ｏｆ  ｔｈｅ  ｍａｌａｒｉａ  ｖｅｃｔｏｒ  ｍｏｓｑｕｉｔｏ  Ａｎｏｐｈｅｌｅｓ  ｓｔｅｐｈｅｎｓｉ  ｉｎ  ｈｏｓｔ−ｓｅｅｋｉｎｇ  ｂｅｈａｖｉｏｒ，Ｐａｒａｓｉｔｅｓ  ａｎｄ  Ｖｅｃｔｏｒｓ，４：１０（２０１１）
【非特許文献４】Ｇｒｅｐｐｉ  ｅｔ  ａｌ．，Ｓｏｍｅ  ｌｉｋｅ  ｉｔ  ｈｏｔ，ｂｕｔ  ｎｏｔ  ｔｏｏ  ｈｏｔ，ｅＬｉｆｅ  ４：ｅ１２８３８（２０１５）
【非特許文献５】ＣｏＲｆａｓ  ｅｔ  ａｌ．，Ｔｈｅ  ｃａｔｉｏｎ  ｃｈａｎｎｅｌ  ＴＲＰＡ１  ｔｕｎｅｓ  ｍｏｓｑｕｉｔｏ  ｔｈｅｒｍｏｔａｘｉｓ  ｔｏ  ｈｏｓｔ  ｔｅｍｐｅｒａｔｕｒｅｓ，ｅＬｉｆｅ  ４：ｅ１１７５０（２０１５）
【非特許文献６】Ｂｕｒｅｔｔ  ｅｔ  ａｌ．，Ｌａｂｏｒａｔｏｒｙ  ｅｖａｌｕａｔｉｏｎ  ｏｆ  ｃｏｌｏｒｅｄ  ｌｉｇｈｔ  ａｓ  ａｎ  ａｔｔｒａｃｔａｎｔ  ｆｏｒ  ｆｅｍａｌｅ  ａｅｄｅｓ  ａｇｙｐｔｉ，ａｅｄｅｓ  ａｌｂｏｐｉｃｔｕｓ，ａｎｏｐｈｅｌｅｓ  ｑｕａｄｒｉｍａｃｕｌａｔｕｓ  ａｎｄ  ｃｕｌｅｘ  ｎｉｇｒｉｐａｌｐｕｓ，Ｔｈｅ  Ｆｌｏｒｉｄａ  Ｅｎｔｏｍｏｌｏｇｉｓｔ，Ｖｏｌ．８８，Ｎｏ．４（２００５）
【発明の概要】
【発明が解決しようとする課題】
【０００８】
しかし、改善の余地がある。実際に、虫、特にカを誘引するための粘着剤の所望の温度を実現するための改良された技術を備える捕虫装置を提供することが有利であろう。粘着剤及び／又は装置の内装又は外装上などの、カによって検知可能なホットスポットを回避するための改良された技術を備える捕虫装置を提供することが更に有利であり、回避しない場合には誘引の減少につながるであろう。信頼性が高く、製造が簡単であり、数点の部品のみ使用するヒータを備える捕虫装置を提供することが更に有利であろう。周囲の動作条件に基づいて発熱を調整する熱制御を備える捕虫装置を提供することが更に有利であろう。上記の利点の１つ又は２つ以上を、様々な虫を粘着剤に誘引するために粘着剤を通した光の分散を改善する技術と組み合わせた捕虫装置を提供することが更に有利であろう。多くの改善の余地が上述されているが、以下の開示は、そのような改善のいずれか又は全てを提供する装置に限定されていないことが理解されよう。
【課題を解決するための手段】
【０００９】
本開示は、一実施形態における、前面を有する、起立したシュラウドを含む、ベース部を含む捕虫装置により、上述した要望のうちの１つ又は２つ以上を満たす。シュラウドは、シュラウドの内部に配置された、シュラウドの前面を加熱するための電気発熱体を有する。捕虫装置は、ベース部に取り外し可能に係合したカートリッジを更に含み、カートリッジは、飛ぶ虫又は這う虫を受け入れるための開口部、及び、カートリッジがベース部と係合しているときに、シュラウドが通過する底部開口部を画定し、カートリッジは、虫を捕獲するための粘着性部分を含む。粘着性部分は、表面及び裏面を有する。捕虫装置は、シュラウドの外側にある光源を更に含み、光源は、カートリッジがベース部と係合しているときに、シュラウドの前面の少なくとも一部分、及び粘着性部分の裏面の少なくとも一部分を照らす光を生成する。この前面の一部分を照らす光の少なくとも一部分は、当該前面により、粘着性部分の裏面に向かって反射される。
【００１０】
他の実施形態では、捕虫装置は、前面を有する、起立したシュラウドを含む、ベース部を含み、シュラウドは、シュラウドの内部に配置された、シュラウドの前面を加熱するための電気発熱体を有する。捕虫装置は、ベース部に取り外し可能に係合したカートリッジを更に含む。カートリッジは、飛ぶ虫又は這う虫を受け入れるための開口部、及び、カートリッジがベース部と係合しているときに、シュラウドが通過する底部開口部を画定している。カートリッジは、虫を捕獲するための粘着性部分を含み、粘着性部分は、表面及び裏面を有する。捕虫装置は、熱制御回路を更に含む。熱制御回路は、電気発熱体によって誘導された温度を感知するための、温度センサと、温度センサと電気的に接続している制御部と、を含む。熱制御回路は、制御部と電気的に接続したスイッチング素子を更に含む。第１のスイッチング素子は、制御部により、導通状態と、電気発熱体を電源から電気的に絶縁する非導通状態との間で切替可能である。電気発熱体は、シュラウドを加熱するための、少なくとも１つの抵抗体を含む。熱制御回路は、電気発熱体の両端に、電圧を断続的に供給する。
【図面の簡単な説明】
【００１１】
本開示の上述の特徴及び利点並びに他の特徴及び利点、またそれらを実現する方法は、本開示の非限定的実施形態の以下の説明を、添付図面と併せて参照することによって、より明白となり、本開示自体が、より良好に理解されるであろう。
【図１】例示的な捕虫装置の図である。
【図２】図１に図示した捕虫装置の分解図である。
【図３Ａ】図１のカートリッジの分解図である。
【図３Ｂ】インサート挿入後に直線３Ｂ−３Ｂに沿って取られた図３Ａのカートリッジの断面である。
【図４】ベース部に連結されつつある図３Ａのカートリッジの図である。
【図５Ａ】図１のベース部の等角図である。
【図５Ｂ】図５Ａのベース部の部分切欠図である。
【図６Ａ】光源を有するインサートの等角図である。
【図６Ｂ】光源を有するインサートの等角図である。
【図７Ａ】光源及びリザーバを有するインサートの等角図である。
【図７Ｂ】光源及びリザーバを有するインサートの等角図である。
【図８】例示的なフレームレス・インサートの分解図である。
【図９Ａ】別の例示的なカートリッジの等角図である。
【図９Ｂ】別の例示的なカートリッジの等角図である。
【図１０】図９Ａ〜図９Ｂに示したカートリッジの分解図である。
【図１１】図９Ａ〜図９Ｂのカートリッジを用いる例示的な捕虫装置の図である。
【図１２】カートリッジをベース部に連結した後の、シュラウドの幾何中心を通る図１１のカートリッジ及びベース部の横方向断面図である。
【図１３Ａ】光源を有する例示的なカートリッジの等角分解図である。
【図１３Ｂ】光源を有する例示的なカートリッジの等角分解図である。
【図１４】インサートを装填し、次いでベース部に連結することができるシェルを有する例示的なカートリッジの図である。
【図１５】捕虫装置の分解等角図である。
【図１６】垂直軸に沿った図１５の捕虫装置の側断面図である。
【図１７】シェルと関連するベース部の分解正面図であり、ここで、説明の目的のためにシェルの前側ハウジングは示していない。
【図１８】図１７のシェルの背面図である。
【図１９】およそ１ｃｍ間隔で孔を穿孔した後のシェルを示す例示的な捕虫装置の図である。
【図２０】およそ１ｃｍ間隔で孔を穿孔した後、シェルを再取り付けする前の粘着性部分を示す図１９の捕虫装置の図である。
【図２１】抵抗加熱ダイオード（resistive heating diode）及び２つの発光ダイオード（ＬＥＤ）を含む回路基板を備える、加熱された通気ハウジングを有する捕虫装置の斜視図である。
【図２２】図２１に関して記載された回路基板の正面図である。
【図２３】図２１及び図２２の装置から生成された粘着性部分の表面に対するヒートマップの図である。
【図２４】図２１及び図２２の装置から生成された粘着性部分の表面に対する別のヒートマップの図である。
【図２５】図４及び図５に示す装置と類似する装置から生成された粘着性部分の表面に対するヒートマップの図である。
【図２６Ａ】温度センサを有する図１のベース部の等角図である。
【図２６Ｂ】図２６Ａのベース部の部分切欠図である。
【図２７】シュラウド内に位置付けられた電気発熱体の例示的な１種を含むベース部の断面図である。
【図２８】連結された例示的なフレームを備える金属板の後面の図である。
【図２９】連結された別の例示的なフレームを備える金属板の後面の図である。
【図３０】金属板と熱的に接触するセラミック封入抵抗体（ceramic encased resistor）を保持するためのフレームの図である。
【図３１】熱制御回路を有する例示的な捕虫装置のブロック図である。
【図３２】例示的な捕虫装置の温度調節用の例示的な処理フロー図である。
【図３３】例示的な捕虫装置の感知温度の経時的なプロットの図である。
【図３４】捕虫装置の例示的な回路図である。
【図３５】捕虫装置の他の例示的な回路図である。
【００１２】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００１３】
本発明の他の特徴及び利点は、以下の詳細な説明及び特許請求の範囲から明らかとなるであろう。
【発明を実施するための形態】
【００１４】
本開示は、捕虫装置、捕虫装置を作製する方法及び捕虫装置を使用する方法を提供する。本明細書に開示される捕虫装置の機能、設計及び使用の原理の総合的な理解を提供するために、ここで、本開示の様々な非限定的実施形態が説明される。これらの非限定的実施形態の１つ又は２つ以上の例を添付の図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。ある非限定的実施形態に関連して示されるか又は述べられる特徴は、他の非限定的実施形態の特徴と組み合わせることができる。そのような修正及び変形は、本開示の範囲内に含まれるものとする。
【００１５】
ここで図１〜図２を参照すると、非限定的な一実施形態に従った例示的な捕虫装置１００が図示されている。図２は、図１に図示した捕虫装置１００の分解図である。捕虫装置１００は、ベース部１０２と、ユーザによってベース部１０２に選択的に連結可能なカートリッジ１１８と、を有する。カートリッジ１１８は、インサート１５０と、インサート１５０を受容するように構成されたシェル１２２と、を含む。以下により詳細に説明するように、インサート１５０は、粘着性部分１５２の表面１５４に接触する虫を固定する粘着性部分１５２を含むことができる。ベース部１０２は、捕虫装置１００を壁コンセントなどの好適な電源に差し込むことができるように、突起部１１２を含むことができる。他の構成では、捕虫装置１００は、オンボード・バッテリ又は他の種類の電源（すなわち、太陽電池）から電力を取り出すことができる。捕虫装置１００は、熱、光、化学組成物誘引剤などの、装置に虫を引き込むための多様な誘引要素を利用することができ、誘引要素のうちのいくつかは、動作するための電源を必要としてもよい。このように、電源は、電気発熱体１１０、光源１１４及び／又は捕虫装置１００に虫を誘引するために機能してもよい他のコンポーネントなどの、様々なオンボードのコンポーネントに電力供給するために使用されてもよい。電気発熱体１１０について、多種多様な発熱体を利用してもよい。例示的な電気発熱体には、金属発熱体、セラミック発熱体、高分子発熱体、複合発熱体及び／又はそれらの組み合わせが挙げられるが、これらに限定されない。
【００１６】
シェル１２２は、前面１２６を有する前側ハウジング１２４と、後面１３０を有する後側ハウジング１２８と、を有してもよい。前側ハウジング１２４及び後側ハウジング１２８は、一つに連結されてシェル１２２を形成する別個の部品であり得るか、又は、前側ハウジング１２４及び後側ハウジング１２８は、シェル１２２を一体的に形成する単一部品であり得る。前側ハウジング１２４及び後側ハウジング１２８は、インサートがシェル１２２内に着座すると、インサート１５０の粘着性部分１５２を実質的に取り囲むことができる。あるいは、いくつかの構成では、下記のカートリッジ５１８及び６１８によって例示されるように、粘着性部分は、シェル内部に予め配置されてユーザに提供される。
【００１７】
虫が、インサート１５０の粘着性部分１５２の表面１５４に接触することができるように、前面１２６は、飛ぶ虫又は這う虫を受け入れるための１つ又は２つ以上の開口部１３２を画定してもよい。図１〜図２では開口部１３２の例示的な一配置を図示しているが、１つ又は２つ以上の開口部１３２の大きさ、配置及び数が変化し得ることを理解されたい。前側ハウジング１２４は、凸状であり、シェル１２２の底部で後側ハウジング１２８から離間してもよく、それらは底部開口部１３４を共同して画定する（図２）。シェル１２２の底部又はインサート１５０は、シェル１２２又はインサート１５０が、虫を誘引かつ捕集するために消費者によって使用されている間に取るであろうように配向されるときに決定される。底部開口部１３４の両側は、ユーザがシェル１２２内に滑り込ませるときにインサート１５０の適切な位置合わせを補助するように、テーパ状、溝付きとなっているか、又は、他の様式で構成されてもよい。シェル１２２の頂部１２１は、（図１に非限定的例によって示すように）実質的に又は完全に閉じていてもよい。
【００１８】
図３Ａは、シェル１２２に挿入されつつあるインサート１５０を図示し、図３Ｂは、インサート１５０の挿入後の、直線３Ｂ−３Ｂに沿った図３Ａのカートリッジの断面図である。インサート１５０は、粘着性部分１５２が取り付けられているか又はそれ以外の場合には一緒に形成されているフレーム１６６を含むことができる。シェル１２２に挿入されると、粘着性部分１５２は、シェル１２２を前方空洞１８８と後方空洞１７４とに分割する。後方空洞１７４は、粘着性部分１５２の裏面１５６及び後側ハウジング１２８の内面１３１によって画定され、その一方で、前方空洞１８８は、粘着性部分１５２の表面１５４及び前側ハウジングの内面１３３によって画定される。インサート１５０がシェル１２２内に位置付けられると、カートリッジ１１８は、ベース部１０２と係合することができる。図４は、ベース部１０２に連結されつつある図３Ａのカートリッジ１１８を図示する。後方空洞１７４は、開口部を欠く場合があるが、カートリッジ１１８がベース部１０２に連結されるときに周囲環境に対して効果的に封止される底部開口部を除く。後方空洞１７４のこの配置は、捕虫装置１００が使用中のとき、対流に起因する後方空洞１７４から周囲環境への熱損失を制限することができる。比較すると、前方空洞１８８は、虫が前方空洞１８８内に進入可能となる１つ又は２つ以上の開口部１３２を含み、それにより空洞を周囲環境に露出させる。
【００１９】
ここで図１〜図４を参照すると、粘着性部分１５２は、シェル１２２の開口部１３２のうちの１つを通って捕虫装置１００に進入して粘着剤に接触する虫を固定する。いくつかの実施形態では、粘着性部分１５２は、粘着剤（又は粘着剤を含む粘着剤組成物）を含み、粘着剤又は粘着剤組成物は、基材上にコーティングされるか又はそれ以外の場合には塗布されるか又は基材内若しくは基材上に組み込まれる。粘着剤は、感圧性粘着剤であってもよい。いくつかの実施形態では、粘着剤は、例えば、アクリル系ポリマー、ブチルゴム、天然ゴム、ニトリル、シリコーン、スチレンブロックコポリマー、スチレン−エチレン／プロピレン、スチレン−イソプレン−スチレン及び／又はビニルエーテル系粘着剤又はそれらの混合物である。基材は、（紙を含む）フィルム、織布又は不織布などの多種多様な形態で提供されてもよい。いくつかの実施形態では、基材は、ポリカーボネート、ポリエチレンテレフタレート（ＰＥＴ）又はポリプロピレンなどの１種又は２種以上のポリマーを含むフィルムの形態である。基材は、１つ又は２つ以上の層を含んでもよい。一般的に、粘着性部分１５２の厚さは、約０．０１ｍｍ〜約５ｍｍの範囲であってもよい。いくつかの実施形態では、粘着剤の厚さは、約０．０５ｍｍ〜約１．０ｍｍの範囲であってもよい。粘着性部分１５２の表面積は、約２５ｃｍ２〜約１５０ｃｍ２とすることができる。粘着性部分１５２は、透明又は半透明の基材（例えば、フィルムなど）の上にコーティングされた透明又は半透明の粘着剤若しくは粘着剤組成物を含むことができる。剥離式ライナーは、粘着性部分１５２に適用することができ、使用前に粘着性部分１５２を覆うこととなる。ユーザは、例えば、インサート１５０をシェル１２２内に挿入する直前に、粘着性部分１５２の表面１５４を露出させるために、剥離式ライナーを剥離除去することができる。
【００２０】
インサート１５０は、粘着性部分１５２を完全に取り囲むフレーム１６６を含むように示されているが、この開示は、そのように限定されていない。例えば、フレーム１６６は、粘着性部分１５２の周りに部分的にのみ延びていてもよい。例示的な一構成では、フレーム１６６は、粘着性部分１５２の第１の垂直側面に沿って、粘着性部分１５２の頂部を横断し、粘着性部分１５２の第２の垂直側面を下向きに延びていてもよい。そのような構成では、粘着性部分１５２の底部縁部にはフレームがない。他の構成では、インサート１５０は、基材の少なくとも中央部分に適用された粘着性部分１５２を有し、十分な構造剛性を提供する基材を有して、フレームレスとすることができる。更に、粘着性部分１５２は、示すように平らであってもよいし、又は、例えば、湾曲などの他の好適な形態を有することができる。図２、図３Ａ及び図３Ｂに示すように、フレーム１６６の外周縁は、シェル１２２と同様に成形してもよい。
【００２１】
いくつかの構成では、インサート１５０は、虫誘引組成物を格納するためのリザーバ１７６を有する。虫誘引組成物は、気体、液体、固体及びそれらの組み合わせを含む多種多様な形態で提供することができる。いくつかの実施形態では、虫誘引組成物は、虫に対して誘引する１種又は２種以上の剤を含む固体組成物の形態で提供してもよい。固体組成物はまた、１種又は２種以上の液体及び１種又は２種以上のゲル化剤を含む、ゲルなどの半固体組成物を含む。ゲル化剤は、虫誘引組成物内部での架橋ネットワークの形成を容易にしてもよい。リザーバ１７６はまた、粘着性部分１５２に当初は固定されたが、乾燥又は脆化した後に粘着性部分１５２によってもはや十分に保持されない虫などの、落下した虫類を捕捉するために機能してもよい。リザーバ１７６は、前壁１８０（図２）及び後壁１８２によって画定されてもよく、前壁１８０は、リザーバ１７６の開口部の少なくとも一部を画定する。前壁１８０は、フレーム１６６と一体的に形成されてもよい。リザーバ１７６は、約１ｍｍ〜約３０ｍｍの深さ（depth）、約１０ｍｍ〜約１００ｍｍの幅及び約１ｍｍ〜約５０ｍｍの高さを有してもよい。リザーバ１７６は、約１ｃｍ３〜約６０ｃｍ３の容積を有することができる。リザーバ１７６は、インサート１５０がシェル１２２と係合し、シェル１２２がベース部１０２と係合すると、虫誘引組成物が、開口部１３２を通って蒸発又は分散し得るように、位置決めすることができる。リザーバ１７６などの本開示に従ったリザーバは、その後壁１８２を含む１つの部品として作製され、次いで、フレーム１６６に取り付けられてもよい。あるいは、その後壁を含むリザーバは、同一の材料から、射出成形又は熱成形工程などよって、フレームと共に一体的に形成してもよい。粘着性部分１５２は、リザーバ開口部に近接して終端してもよいか、又はリザーバ開口部を通過して下方に延び、リザーバ１７６の後壁１８２を横断してもよい。リザーバ１７６内の虫誘引組成物は、使用中に蒸発する場合があるため、リザーバ１７６が粘着性部分１５２に連結されて、両方の部品を同時に交換できることが有利である。更に、粘着性部分１５２に対するリザーバ１７６の配置のため、リザーバ１７６は、粘着性部分１５２の表面領域が妨害されないようにベース部内に受容することができる。この配置により、虫を捕獲するための粘着性部分１５２の表面積が最大化される。
【００２２】
他の構成では、インサート１５０は、リザーバ１７６を含まなくてもよい。更に他の構成では、インサート１５０は、リザーバ１７６を含まず、粘着性部分１５２は、インサート１５０の表面及び裏面の両方の上に位置付けられる。そのような構成では、粘着性部分１５２の表面１５４が十分な数の虫を固定化すると、ユーザは、インサート１５０をシェル１２２から取り出し、インサート１５０を回転し、インサート１５０をシェル１２２内への再度挿し込んでもよい。この位置では、インサート１５０の裏面は、開口部１３２に近接して位置付けすることができ、シェルに入る虫を固定化するために使用することができる。
【００２３】
図３Ａに示すように、インサート１５０は、ユーザによってシェル１２２に選択的に挿し込まれて、カートリッジ１１８をベース部１０２に取り付けるための準備をしてもよい。いくつかの構成では、インサート１５０がシェル１２２に完全に着座したとき、インサート１５０は、例えば、インターロック機構又は摩擦嵌合などにより、シェル１２２と機械的に係合させられてもよい。インサート及びシェルに関する例示的な構成は、その開示が参照により本明細書に組み込まれる、２０１６年７月１１日出願の国際出願ＰＣＴ／ＵＳ２０１６／４１８１２号、名称「ＩＮＳＥＣＴ  ＴＲＡＰＰＩＮＧ  ＤＥＶＩＣＥ  ＡＮＤ  ＭＥＴＨＯＤＳ  ＴＨＥＲＥＯＦ」に提示されている。カートリッジ１１８はまた、垂下タブ１６４を含む。垂下タブ１６４は、インサート１５０上又はシェル１２２において位置決めすることができる。スイッチ（図示せず）は、カートリッジ１１８がベース部１０２に係合するとき、垂下タブ１６４を受容するベース部１０２上に位置決めされる。ベース部１０２内のスイッチは、１種又は２種以上の虫誘引要素（すなわち、電気発熱体１１０、光源１１４など）を動作させる機能を果たしていてよく、これにより、そのような虫誘引要素は、カートリッジ１１８がベース部１０２に係合されるときにのみ給電され得るようになっている。このように、カートリッジ１１８がベース部１０２から取り外されているとき、スイッチは、非アクティブ状態であり、電源は、虫誘引要素から取り外されている。
【００２４】
垂下タブ１６４は、垂下タブ１６４の垂直中心線がインサート１５０の垂直中心線からずれるように位置決めすることができる。垂下タブ１６４をずらすことにより、カートリッジ１１８をベース部１０２と適切に位置合わせすることを補助するために役立ち得る。より具体的には、垂下タブ１６４がスイッチ内に受容されるようにカートリッジ１１８が適切な方向を向いているときにのみ、カートリッジ１１８は、ベース部１０２内に完全に着座され得る。更に、垂下タブ１６４は、インサート１５０がシェル１２２内に適切に配置されていることを確実にするために役立つことができる。垂下タブ１６４はまた、インサート１５０の挿し込み又は除去中にユーザ用の便利な把持点として機能することもできる。垂下タブ１６４は、任意の好適な構成又は形状を有することができる。いくつかの構成では、垂下タブ１６４は、その垂直中間部の幅が、インサート１５０の底部縁部の幅の７５％未満である。いくつかの構成では、垂下タブ１６４は、その垂直中間部の幅が、インサート１５０の底部縁部の幅の５０％未満である。いくつかの構成では、垂下タブ１６４は、その垂直中間部の幅が、インサート１５０の底部縁部の幅の２５％未満である。いくつかの構成では、垂下タブ１６４は、その垂直中間部の幅が、インサート１５０の底部縁部の幅の１０％未満である。いくつかの構成では、垂下タブ１６４は、インサート１５０の垂直中心線に対して非対称でありながら、インサート１５０の垂直中心線と重なっている。
【００２５】
カートリッジ１１８をベース部１０２に連結して捕虫装置１００を使用する準備をするためには、シュラウド１０８が底部開口部１３４を通って（図２）シェル１２２の後方空洞１７４内に受容され（図３Ｂ）、粘着性部分１５２の裏面と後側ハウジング１２８の内面との間に位置付けられるように、カートリッジ１１８を、シュラウド１０８を覆って下降させる（図４）。シュラウド１０８は、電気発熱体１１０を取り囲む、ベース部２０１から上方に延びる起立部分である。連結時にカートリッジ１１８をベース部１０２に対して相対的に位置決めし、位置合わせすることが、シュラウド１０８によって補助することができるのは、カートリッジ１１８をベース部１０２に対して適切に誘導するためにシュラウド１０８が役立つことができるためである。更に、連結時にシュラウド１０８をシェル１２２内に受容することはまた、垂下タブ１６４のベース部１０２内に位置決めされたスイッチとの適切な位置合わせを確実にするのにも役立つ。ベース部１０２の一部は、シェル１２２内に受容されて、カートリッジ１１８をベース部１０２に機械的に係合させてもよい。そのような係合は、摩擦嵌合接続又は、例えば、クリップ、ラッチ、磁石及び戻り止めを利用するなどの他の適切な種類の接続を利用して、ユーザがカートリッジ１１８及びベース部１０２の連結解除を所望するまで、シェル１２２とベース部１０２との間の連結を維持してもよい。カートリッジ１１８がベース部１０２に取り付けられると、次いで、捕虫装置１００は、虫を誘引して拘束するために動作することができる。
【００２６】
図５Ａは、明確にするためにカートリッジ１１８を除去して示した、ベース部１０２の等角図を図示し、図５Ｂは、電気発熱体１１０をより詳細に説明するためにベース部１０２の部分切欠図を図示する。図１〜図５Ｂを参照すると、カートリッジ１１８がベース部１０２に係合されているとき、シュラウド１０８は、底部開口部１３４を通ってシェル１２２の後方空洞１７４内に延び、後側ハウジング１２８とインサート１５０との間に位置する。図示した構成では、電気発熱体１１０は、シュラウド１０８内に位置付けられる。シュラウド１０８は、電気発熱体１１０を保護し、動作中に電気発熱体１１０が生成した熱を放熱しやすくする。本明細書において使用するとき、電気発熱体１１０は、加熱の目的のために電気を熱に変換する装置を指す。このように、電気発熱体１１０に関連付けられていてもよい配線、制御回路、コネクタ、マウントなどは、電気発熱体１１０の部品ではない。電気発熱体１１０は、例えば、１つ又は２つ以上の加熱可能な表面を有する正温度係数（ＰＴＣ）ヒータ、抵抗型ヒータ又は電気エネルギーを熱エネルギーに変換する任意の他の種類の素子であってもよい。更に、電気発熱体１１０の温度は、自動調節を通して制御されてもよいか、又はサーモスタットなどの種々の温度制御回路を利用してもよい。ここで理解されるように、本開示は、任意の特定の種類の電気発熱体１１０又は制御回路に限定されない。しかし、電気発熱体１１０としてＰＴＣサーミスタを使用して、他の加熱技術によって提供されるよりも複雑ではなく、低価格のシュラウド１０８を加熱する手段が提供され得る。
【００２７】
好適な電源（電池、壁コンセントなど）により通電されると、電気発熱体１１０は、シュラウド１０８を加熱する。次いで、シュラウド１０８は、シュラウド１０８の前面１０４に近接して配置されたインサート１５０の近接した粘着性部分１５２の裏面に対して、最初に熱を放射する。粘着性部分１５２の裏面が加熱されるにつれて、次いで、粘着性部分１５２の反対側の表面１５４が加熱される。したがって、捕虫装置１００の熱経路は、電気発熱体１１０から、シュラウド１０８へ、（対流加熱及び／又は放射加熱を介して）粘着性部分１５２の後面へと向かうようなものであり、これにより、粘着性部分１５２の表面１５４が温まる。粘着性部分１５２を加温することにより、特定の種類の虫を捕虫装置１００に誘引することを補助してもよい。例えば、加熱された粘着性部分１５２は、生体表面（すなわち皮膚）の熱シグネチャを模倣してもよく、したがって、カ、ノミ、ダニなどの皮膚に引き寄せられる虫を誘引してもよい。そのような虫は、加熱された粘着性部分１５２に引き寄せられ、粘着性部分１５２の表面１５４に接触することとなり、それにより、捕獲されることとなる。
【００２８】
図示した構成では、光源１１４は、別の虫誘引要素として機能し、ベース部１０２内に位置付けられている。利用される光源１１４の波長及び種類は、特定の種類の光に引き寄せられる虫を誘引するように選択することができる。光源１１４は、固体照明の形態である発光ダイオード（ＬＥＤ）１１６として示されている。一実施形態では、光源１１４は、３つのＬＥＤ  １１６である。ＬＥＤ  １１６は、スルーホール技術などの任意の好適な取付技術を使用してもよい。いくつかの構成では、ＬＥＤ  １１６のうちの１つ又は２つ以上は、ＬＥＤ  １１６が、表面実装デバイス（ＳＭＤ）であるように、表面実装技術（ＳＭＴ）を利用する。ＬＥＤ  １１６のそれぞれは、直径が約０．５ｍｍ〜約１０ｍｍであってもよい。更に、ＬＥＤのそれぞれは、表面積が約０．５ｍｍ２〜約１００ｍｍ２であってもよい。ＬＥＤのいくつかの例には、半導体発光ダイオード、ポリマー発光ダイオード、有機発光ダイオードなどが挙げられる。使用してもよい他の光源には、白熱灯若しくはフィラメント系灯、蛍光灯、ハロゲン灯、キセノン灯又は当該技術分野で既知の他の光源が挙げられるが、これらに限定されない。光源は、その出力の波長を調整するためにフィルタを有してもよいか又は有さなくてもよい。更に、本明細書で使用するとき、光源１１４は、虫誘引要素として利用される照明技術の光発生部品又は素子である。この点に関して、光源１１４は、ダイオード、フィラメント、励起ガスなどのうちのいずれであってもよい。光源１１４は、光発生部品又は素子に関連付けられてもよい配線、コネクタ、ベース部、レンズ又は素子を含まない。光源１１４は、起立した熱シュラウド１０８の外部に位置付けられている。光源１１４は、シュラウド１０８の表面の前方、下方、側方（beside）にあるか又は表面上に実装されてもよい。この位置付けにより、シュラウド１０８の前面１０４によって光を粘着性部分１５２に向かってより効果的に偏向させることが可能であってもよい。それはまた、シュラウド１０８の前面１０４によって、より均一な放射加熱をもたらしてもよい。そのような外部配置部の例は、図２の光源１１４におけるＬＥＤ  １１６、図６Ａのインサート２５０上のＬＥＤ  ２１６及び図１２のＬＥＤ  ５１６として図示されている。光源１１４は、カートリッジ１１８がベース部１０２に係合するとき、光源１１４がシュラウド１０８とインサート１５０の間に位置付けられるように位置付けられる。このように、光源１１４が通電されているとき、粘着性部分１５２の裏面１５６を直接かつシュラウド１０８に反射する光により間接的に照らす。この構成は、ＬＥＤ  １１６と粘着性部分１５２との間の有利に遮蔽されない光路を更に可能とし、光及び熱の両方が互いに干渉することなく虫誘引要素として提供されることを可能にする。いくつかの実施形態では、光源１１４は、シュラウド１０８から放射する熱又はシュラウド１０８から粘着性部分１５２の裏面１５６に向かう光の反射のいずれかと干渉しないように、シュラウド１０８のベース部に又はベース部の近くに配置される。図示の構成はまた、光源１１４からの光の効果的な順方向伝搬を提供することができる。より具体的には、粘着性部分１５２とシュラウド１０８との間のＬＥＤ  １１６の相対的な位置付けは、シュラウド１０８に近接した状態であっても、粘着性部分１５２を通した光の前方への偏向量を増加させる。この構成はまた、シュラウド１０８と粘着性部分１５２との間にエアギャップをもたらし、それ以外の場合には単一点ヒータを使用するときに存在するであろう粘着性部分１５２上のホットスポットを緩和することに役立つ。図５Ａに示すような単一点発熱体１１０を使用すると、より単純かつより安価である一方で、多点発熱体よりも高温で動作することが必要となる場合がある、かつ／又は熱の放射／放散に起因してシュラウドの中央部分がシュラウド１０８の縁部よりも高温となる。シェル１２２の後方空洞１７４の内側に生み出された空気塊は、いくつかの実施形態ではシュラウド１０８をその前面及び後面の周りで包み込んでおり、粘着性部分１５２の加熱面の熱安定性及び均一性を更に向上させてもよい。この構成では、光路は、光源１１４から、直接かつ／又はシュラウド１０８から反射されてのいずれかで粘着性部分１５２の裏面に向かうようなものである。次いで、光は、粘着性部分１５２の裏面を通って進み、粘着性部分１５２の表面１５６から出る。照らされ、かつ加熱された粘着性部分１５２に引き寄せられた虫は、前方空洞１８８内に配置され、開口部１３２に対向する粘着性部分の表面１５６によって捕獲されることとなる。
【００２９】
シュラウド１０８は、カートリッジ１１８の粘着性部分１５２の後面に面する前面１０４を有することができる。前面１０４は、カートリッジ１１８がベース部１０２に係合するとき、空洞がシュラウド１０８の中心部分と粘着性部分１５２との間に形成されるように、凹面状であってよい。シュラウド１０８の前面１０４は、滑らかな凹面として図示されているが、この開示は、そのように限定されない。前面１０４は、凹形状を形成する表面の任意の好適な構成又は組み合わせを有することができ、その凹形状では、前面１０４の中央部分が前面１０４の側方部分に対してくぼんでおり、それにより内側に向かう隆起部を形成する。前面１０４の例示的な構成には、平らな部分、傾斜部分、湾曲部分、曲線部分などが含まれ得る。また、前面１０４は、（図示のように）連続的であってもよいし、又は、前面が隙間又は他の種類の分離を有するように、不連続であってもよい。いくつかの配置では、シュラウド１０８及びその前面１０４は、直接接触して、又は離間してのいずれかで、互いに近位に位置付けられた２つ以上のシュラウドによって、集合的に形成することができる。そのような複数シュラウド配置は、それぞれのシュラウドが別個に加熱されてもよいため、必ずしも単一点発熱体を使用しなくてもよい。光源１１４は、カートリッジ１１８がベース部１０２に係合したとき、シュラウド１０８の前面１０４と粘着性部分１５２の後面との間に形成される空洞内でベース部１０２に位置付けられてもよい。このように、粘着性部分１５２を照明することに加えて、光源１１４はまた、シュラウド１０８の前面１０４も照らす。前面１０４と光源１１４との相対的位置付けにより、前面１０４は、光源１１４からの光の少なくとも一部を粘着性部分１５２の裏面１５６上に反射させる反射体として機能することができる。図５Ａに示すように、例えば、光源１１４は、シュラウド１０８の底部でベース部１０２内に位置付けられている。更に、光源１１４は、シュラウド１０８の前面１０４よりも下方に位置付けられるとともに、前面１０４の前方に位置付けられているように示されている。様々な構成によれば、前面１０４の少なくとも一部は、光拡散、散乱及び／又は反射を助けるように粗面化されてもよい。いくつかの構成では、前面１０４の粗面化部分は、ＳＰＩ  Ａ−１程度〜ＳＰＩ  Ｄ−３程度の表面粗さ（Ｒａ）を有する。更に、粗面化部分は、シュラウド１０８の前面１０４の表面積の約７０％〜約１００％の表面積を有してもよい。
【００３０】
回路基板１０６（図５Ａ）は、電気発熱体１１０及び光源１１４を動作させるための回路を含むベース部１０２内に位置付けることができる。回路基板を、リザーバ１７６の後方に位置付けることができるように、回路基板１０６は、ベース部１０２内に垂直に取り付けられてもよい。回路基板１０６をリザーバ１７６の後方に位置付けることで、虫誘引組成物が回路と接触する可能性は、最小化される。図５Ａ〜図５Ｂに示すように、ベース部１０２はまた、シェル１２２がベース部１０２に連結されたとき、リザーバ１７６の少なくとも一部を受容するように寸法決めされた空洞１２０を画定してもよい。
【００３１】
捕虫装置１００を動作中に前方側（すなわち、図１２の突起部１１２の反対側）から観察するとき、粘着性部分１５２の表面１５４は、開口部１３２を通して少なくとも部分的に視認可能であってもよい。光源１１４は、粘着性部分１５２の後方に位置付けされているため、光源１１４が作動しているとき、粘着性部分１５２は、その裏面から照明される。電気発熱体１１０を収容するシュラウド１０８は、粘着性部分１５２及び光源１１４の両方の後方に位置付けられ、照らされた粘着性部分１５２を所望の温度範囲内に加熱するように機能する。発熱体１１０を粘着性部分１５２の後方に位置付けると、シェル１２２の前側ハウジング１２４の開口部１３２を通って前側エンクロージャに進入した虫、特にカから、相対的に高温の（５０℃以上に加熱され得る）発熱体１１０を隠すという付加的な利点が更にもたらされる。より詳細に後述するように、凹面状の前面１０４並びにシュラウド１０８内での電気発熱体１１０の相対的配置及び構成に部分的に起因して、粘着性部分１５２の全表面領域は、概ね均一に加熱されて、ホットスポットを回避しながら生体組織を模倣することに役立つことができ、捕虫装置１００の有効性を向上させる。
【００３２】
ここで図５Ｂを参照すると、ベース部１０２の部分切欠図は、シュラウド１０８の例示的な内部配置を図示する。電気発熱体１１０は、金属板１５８に熱的に接触している１つ又は２つ以上のＰＴＣ発熱体１６０を含む。説明の目的のために、１つのＰＴＣ発熱体１６０のみを図５Ｂに示す。例示的なＰＴＣ発熱体は、ＳｈｅｎＺｈｅｎ  Ｊｉｎｋｅ  Ｓｐｅｃｉａｌ  Ｍａｔｅｒｉａｌｓ  Ｃｏ．，Ｌｔｄ．により製造されたＰＴＣ発熱体モデル番号１５−６−．３のようなスイッチ型ＰＴＣサーミスタである。ＰＴＣ発熱体１６０の平らな前面１６１は、ＰＴＣ発熱体１６０が作動しているときに加熱され、金属板１５８と接触している。このように、ＰＴＣ発熱体１６０により発生する熱は、金属板１５８の表面領域にわたって伝導して広がる。金属板１５８は、約０．２５ｍｍ〜約１．５ｍｍの厚さを有することができ、アルミニウム又は他の熱伝導材料から作製することができる。金属板１５８は、前面１０４と全般的に同じ大きさであるように寸法設定することができる。いくつかの構成では、金属板１５８は、幅が５ｃｍより大きく、表面積が約２３ｃｍ２〜約１４８ｃｍ２である。金属板１５８の幅は、消費者による使用中に虫を誘引かつ捕獲するであろうように金属板１５８を配向させるときに決定される。
【００３３】
更に、金属板１５８は、前面１０４の凹面状の幾何学形状に全般的に従うように構造化することができる。例示した構成では、例えば、金属板１５８は、平らな翼１５８Ｂが両側に位置付けられた平らな中央区分１５８Ａを含み、翼１５８Ｂは、中央区分１５８Ａに対して角度が付けられている。他の構成では、金属板１５８は、湾曲しているか、又は平らな区分及び湾曲区分を含む。ＰＴＣ発熱体１６０は、金属板１５８に（クリップ、粘着剤などの任意の好適な技術を用いて中央区分１５８Ａなどに）連結することができるいずれにしても、金属板１５８は、ＰＴＣ発熱体１６０によって生成された熱の分配に役立ち、これにより、シュラウド１０８が加熱され得る。
【００３４】
ＰＴＣ発熱体１６０に近接していることにより、金属板１５８の中央領域は、金属板１５８の周辺領域よりも高温となる。このように、金属板１５８の中央領域に近接するシュラウド１０８の前面１０４の一部は、金属板１５８の周辺領域に近接するシュラウド１０８の前面１０４の一部よりも高温であってもよい。しかし、前面１０４の凹面状の構成により、金属板１５８の周辺領域に近接する前面１０４の一部は、粘着性部分１５２に、より近く位置付けられ、金属板１５８の周辺領域に近接する前面１０４の一部は、粘着性部分１５２からより離れるように離間されている。そのような構成は、粘着性部分１５２の全表面積を全般的に均一に加熱することに役立つ。例示的な捕虫装置の粘着性部分と前面との間の相対的な間隔に関する付加的な詳細は、図１２に関して以下でより詳細に説明される。
【００３５】
捕虫装置１００の動作中、電気発熱体１１０が起動されると、シュラウド１０８の前面１０４は、１時間未満で定常状態平均温度に達してもよい。シュラウド１０８の前面１０４の定常状態平均温度は、約２３℃の周囲温度で約４０℃〜約５０℃であってもよい。更に、前面１０４は、約２３℃の周囲温度で定常状態平均温度の±６、８、１０又は１２℃以内の最小定常状態温度及び最大定常状態温度を有してもよい。前面１０４の最小定常状態温度と最大定常状態温度との間の絶対差は、約１０、１２、１４、１６、１８、２０又は２２℃であり得る。粘着性部分１５２は、約２３℃の周囲温度で約３２℃〜約３８℃の定常状態平均温度を有してもよい。（中国又はブラジルなどの国においてより高温の日について代用とすることができる）約３０℃の周囲温度で、粘着性部分１５２は、約３５℃〜約４０．５℃の定常状態平均温度を有してもよい。粘着性部分１５２の直接熱最小定常状態温度及び直接熱最大定常状態温度は、定常状態平均温度の±１．５℃以内であってもよいか、又は粘着性部分１５２の直接熱最小定常状態温度及び直接熱最大定常状態温度は、定常状態平均温度の約±１．５℃〜約±３．５℃の範囲であってもよいか、又は粘着性部分１５２の直接熱最小定常状態温度及び直接熱最大定常状態温度は、定常状態平均温度の約±２．５℃〜約±３．５℃の範囲であってもよい。直接熱最小定常状態温度と直接熱最大定常状態温度との間の絶対差は、約２．５℃未満、５℃未満又は７．５℃未満とすることができる。これらの温度は、シュラウドの真正面にある（directly in front of）粘着性部分のその部分の最小温度及び最大温度である。いくつかの実施形態では、粘着性部分の表面積の５０、６０％、７０％、８０％又は９０％超は、直接熱最小温度と直接熱最大温度との間に収まる温度に加熱される。加熱される粘着性部分全体の最小定常状態温度及び最大定常状態温度は、シュラウドの真正面であるかどうかにかかわらず、定常状態平均温度の±５℃以内であってもよい。ＰＴＣ発熱体１６０の前面１６１の設定点温度（Ｔｓ）は、約５０℃〜約７０℃であってもよい。表面温度試験方法は、以下に示す。
【００３６】
シュラウド１０８をベース部１０２の部品として設けることは、装置のカートリッジ１１８と共にシュラウド１０８を廃棄することが望ましくない場合があるため、有益である。その代わりに、カートリッジ１１８の部品（又はカートリッジ全体）は、必要に応じて、シュラウド１０８をベース部１０２に残した状態のままで交換することができる。また、捕虫装置１００の動作中にシュラウド１０８をカートリッジ１１８で取り囲むことによって、カートリッジ１１８は、シュラウド１０８を閉じ込める役割を果たし、これにより、シュラウドが一般的により迅速に、より均一に暖まり得るとともに、大気の擾乱及び乱流からの影響を受けにくくなる。シュラウド１０８が閉じ込められていない場合、粘着性部分１５２を所望の温度まで加熱するために、より高温での動作が必要となるであろうし、したがって、捕虫装置１００において、粘着性部分１５２の表面温度のばらつきが、より大きくなりやすくなる。更に、シュラウド１０８は、後方空洞１７４内部に位置付けられ、シェル１２２の前方空洞１８８に進入した虫が容易には到達できないため、ホットスポット及び／又は５０℃を超える温度は、カなどの虫に対して容易に視認されないこととなる。また、シュラウド１０８の前面１０４の表面積は、粘着性部分１５２の表面１５４の表面積と実質的に同様であってもよいため、粘着性部分１５２の裏面１５６を所望の温度範囲に均一に加熱することがより容易である。いくつかの実施形態では、シュラウド１０８の前面１０４は、粘着性部分１５２の裏面１５６の表面積の５０％、６０％、７０％、８０％、９０％、又はそれ以上の表面積を有する。
【００３７】
シュラウド１０８に対する粘着性部分１５２の相対配置に起因して、カートリッジ１１８の構成はまた、虫を誘引する恐れがあり、次いで、虫が装置の捕獲用粘着面（すなわち、粘着性部分１５２）からあいにく離れてしまうであろう、粘着剤のない加熱表面の量を有益に最小化することに役立つ。最後に、シェル１２２は、虫を遠ざける恐れがある、捕虫装置１００の高温部分を、虫が検知することを防ぎ得る。
【００３８】
ここで代替的なインサート構成を見ると、図６Ａ〜図６Ｂ及び図７Ａ〜図７Ｂは、それぞれオンボードの光源を含む例示的なインサート２５０及び３５０を図示する。そのようなインセット２５０、３５０は、光源を有さない捕虫装置のベース部と共に使用してもよい。図６Ａ〜図６Ｂは、リザーバを含まない例示的なインサート２５０の等角図を示す。本明細書に記載されたインサート１５０と同様に、インサート２５０は、フレーム２６６によって囲まれ、虫を捕獲するための表面２５４を有する粘着性部分２５２を有する。インサート２５０はまた、１組のＬＥＤ  ２１６を含むように示されている光源２１４を有する。ＬＥＤ  ２１６は、関連付けられた捕虫装置の動作中、（装置の観察者に対して）粘着性部分２５２の後方にあるように位置付けられ、粘着性部分２５２の裏面２５６は、ＬＥＤ  ２１６が起動すると照らされる。インサート２５０は、関連付けられたベース部のシュラウドの前面の形状に酷似してもよい前縁部２１７を有する棚状部２１５を有する。インサート２５０はまた、インサート２５０の下方部分から延びる垂下タブ２６４を有する。垂下タブ２６４の垂直中心線は、インサート２５０の垂直中心線からずれており、対応するベース部のスイッチ内に受容されるように位置付けられる。垂下タブ２６４はまた、捕虫装置のベース部内の対応する接点と電気的に接触するように位置決めされた電気接点２１７を有する。ベース部と電気的に接触すると、電力を、電気接点２１７及び回路２１９を介して供給することができ、インサート２５０に搭載されてもよい光源２１４が点灯され、かつ／又は他の誘引要素が照らされる。
【００３９】
図７Ａ〜図７Ｂは、インサート３５０がリザーバ３７６を含んでいることを除いてインサート２５０と類似している、インサート３５０の等角図を示す。インサート２５０と同様に、インサート３５０は、フレーム３６６に囲まれ、その上に虫を捕獲するための表面５５４を有する粘着性部分３５２を有する。インサート３５０はまた、１組のＬＥＤ  ３１６として示された光源３１４を有する。インサート３５０をシェル内に滑り込ませた後、ＬＥＤ  ３１６が、（装置の観察者に対して）粘着性部分３５２の後方に位置し、その裏面３５６を照らすように、ＬＥＤ  ３１６は、インサート３５０の、リザーバ３７６とは反対側に位置付けられている。インサート３５０は、関連付けられたベース部のシュラウドの前面の形状に酷似してもよい前縁部３１７を有する棚状部３１５を有する。インサート３５０はまた、図６Ａ〜図６Ｂで上述した配置と同様に、電気接点３１７を有するインサート３５０の下方部分から延びる垂下タブ３６４を有する。ベース部と電気的に接触すると、電力を、電気契約３１７及び回路３１９を介して供給することができ、インサート３５０に搭載されてもよい光源３１４が点灯され、かつ／又は他の誘引要素が照らされる。
【００４０】
上述したインサートは、フレーム構造を利用しているが、この開示は、そのように制限されない。図８は、フレームレス構成を有するインサート４５０の分解図を図示する。示すように、粘着性部分４５２は、実質的に固体のベース部材４６８に取り付けられている。ベース部材４６８は、例えば、半硬質板紙又は他の好適な材料であり得る。そうであっても、固体ベース部材４６８は、粘着性部分４５２が上述した温度パラメータに従って加熱されるようにすることができる。ベース部材４６８は、ユーザに把持点を提供するように機能し、また捕虫装置内のスイッチを作動させるために使用することもできる垂下タブ４６４を含むことができる。図８は、垂下タブ４６４の垂直中心線がベース部材４６８の垂直中心線と概ね位置合わせされていることを示しているが、他の構成では、垂下タブ４６４の垂直中心線は、ベース部材４６８の垂直中心線からずらされている。更に、図８は、粘着性部分４５２がベース部材４６８の第１の側に位置付けられていることを図示しているが、この開示は、そのように制限されない。いくつかの構成では、例えば、第２の粘着性部分が、ベース部材４６８の第２の側に取り付けられている。（両面インサートと称する場合がある）そのような構成は、インサート４５０がシェルから除去され、ユーザによって裏返しにされ、次いで将来の使用のためにシェルに再挿し込みされることを可能にしてもよい。また、図８には、使用前に粘着性部分４５２を覆って保護するためにベース部材４６８に貼り付けることができる剥離式ライナー４８６が示されている。本明細書に記載された他のインサートと同様に、インサート４５０が、粘着性部分４５２を覆う剥離式ライナー４８６と共にパッケージ化されて出荷されるように、剥離式ライナー４８６は、製造中にインサート４５０（及び／又はインサートのリザーバ）に追加することができる。インサート４５０を捕虫装置のシェル内に挿し込む直前に、ユーザは、剥離式ライナー４８６を除去して廃棄し、粘着性部分４５２を露出させてインサート４５０を使用する準備をすることができる。図示した構成では、剥離式ライナー４８６は、ユーザ用の把持点を提供するためにベース部材４６８から分離されたタブ４６５を含む。
【００４１】
ここで代替的なカートリッジ構成を見ると、図９Ａ〜図１３Ｂは、カートリッジの内部に取り外し不能に位置付けられた粘着性部分を有する例示的なカートリッジ５１８及び６１８を図示する。このように、カートリッジは、捕虫装置のベース部に取り付けてもよく、そして使用後、ユーザによってカートリッジ全体が除去されて廃棄されてもよい。次いで、未使用のカートリッジは、ベース部に取り付けてもよく、捕虫装置の動作は、再開することができる。図９Ａ〜図９Ｂは、図１１に図示されたベース部と共に使用されてもよい例示的なカートリッジ５１８を等角図で図示する。図１０は、カートリッジ５１８の分解図を図示して、粘着性部分５５２及びリザーバ５７６の例示的な一構成を説明する。リザーバ５７６は、インサート１５０に関して上述したリザーバ１７６と同様であり得る。しかし、いくつかの構成は、リザーバ５７６を含まないことに留意されたい。カートリッジ５１８は、カートリッジ１１８と多くの点で類似しているか又は同一であり得る。例えば、カートリッジ５１８の前側ハウジング５２４は、飛ぶ虫又は這う虫を受け入れるための１つ又は２つ以上の開口部５３２を画定することができ、これにより、虫が、粘着性部分５５２の前面５５４に接触することとなるようになっている。しかし、カートリッジ５１８の粘着性部分５５２は、前側ハウジング５２４と後側ハウジング５２８との間に取り外し不能に位置付けられ、図１２に示すように、カートリッジの内部を前方空洞５８８及び後方空洞５７４に分割する。前側ハウジング５２４及び後側ハウジング５２８及び／又は粘着性部分５５２は、超音波溶接、接着剤、機械的ファスナーなどの任意の好適な技術を用いて連結することができる。あるいは、前側ハウジング５２４及び後側ハウジング５２８は、例えば、射出成形により形成された一体的構造であり得る。図９Ｂに示すように、後側ハウジング５２８は、凸状であって、カートリッジ５１８の底部で粘着性部分５５２の裏面５５６から離間していてもよく、これにより、これらが集合的に底部開口部５３４を画定するようになっていてもよい。カートリッジ５１８は、ベース部５０２のスイッチと係合する垂下タブ５６４を更に含むことができる（図１１）。
【００４２】
図１１は、ベース部５０２に連結される際のカートリッジ５１８を例示する。図１２は、カートリッジ５１８のベース部５０２への連結後の、シュラウド５０８の幾何中心を通る、カートリッジ５１８（図１１）及びベース部５０２の横方向断面図である。ベース部５０２は、ベース部１０２と多くの点で類似しているか又は同一であり得る。例えば、ベース部５０２は、金属板５５８に近接して位置付けられた前面５０４を有するシュラウド５０８を含むことができる。ＰＴＣ発熱体５６０の平らな前面５６１は、ＰＴＣ発熱体５６０が作動しているとき、金属板５５８が加熱されるように、金属板５５８に連結することができる。この構成では、ＰＴＣ発熱体５６０は、クリップ５１１を介して金属板５５８に保持されている。
【００４３】
図１１〜図１２に示すように、シュラウド５０８は、カートリッジ５１８の底部開口部５３４を通ってカートリッジ５１８の後方空洞５７４内に受容することができ、後方空洞５７４は、粘着性部分５５２の裏面５５６及び後側ハウジング５２８の内面５３１によって画定されている。前方空洞５８８は、粘着性部分５５２の表面５５４と前側ハウジング５２４の内側面５３３との間に画定されている。カートリッジ５１８を完全に着座させると、粘着性部分５５２は、シュラウド５０８の前面５０４に近接して位置付けられることとなる。内部空洞５６２は、粘着性部分５５２の裏面５５６とシュラウド５０８の前面５０４との間に画定されている。内部空洞５６２は、後方空洞５７４の部分である。後方空洞５７４、前方空洞５８８及び内部空洞５６２は、動作中にＰＴＣ発熱体５６０によって生成される熱により加温することができるが、後方空洞５７４は、前方空洞５８８よりも一般的に高温になる。ＬＥＤ  ５１６は、内部空洞５６２内に位置付けられ、作動されたとき、ＬＥＤが、粘着性部分５５２の後面５５６及びシュラウド５０８の前面５０４を照らすようになっている。上述した前面１０４と同様に、シュラウド５０８の前面５０４は、内部空洞５６２内での配光に役立つように、粗面化部分を含んでいてもよい。動作中、虫は、前側ハウジング５２４の開口部５３２を通って前方空洞５８８に進入する。
【００４４】
いくつかの構成では、シュラウド５０８が占める任意の容積を含む後方空洞５７４の全内部容積は、約７５ｃｍ３〜約１５０ｃｍ３である。シュラウド５０８の容積は、約２５ｃｍ３〜１００ｃｍ３であってもよい。後方空洞５７４の全内部容積からシュラウド５０８の容積を引いたエアギャップ容積は、約３７ｃｍ３〜１２０ｃｍ３であってもよい。いくつかの構成では、エアギャップ容積は、後方空洞５７４の全内部容積の約２０％〜約８０％である。いくつかの構成では、エアギャップは、後方空洞５７４の全内部容積の６５％であり、シュラウド５０８の容積は、３５％である。上述したように、エアギャップは、粘着性部分５５２の加熱面の熱安定性を向上させるために機能することができる。
【００４５】
図示の構成では、シュラウド５０８の前面５０４の凹面状の形状及び平らな粘着性部分５５２により、粘着性部分５５２の裏面５５６とシュラウド５０８の中央におけるシュラウド５０８の前面５０４との間に、間隔（Ｇ１）が画定されている。粘着性部分５５２の裏面５５６とシュラウド５０８の側縁部における前面５０４との間には、間隔（Ｇ２）が画定されている。間隔（Ｇ１）の長さは、間隔（Ｇ２）の長さよりも大きい。間隔（Ｇ１）は、約４ｍｍ〜約１２ｍｍとすることができ、間隔（Ｇ２）は、約０．５ｍｍ〜約３ｍｍとすることができる。示すように、間隔（Ｇ１）に近接するシュラウド５０８の部分は、間隔（Ｇ２）に近接するシュラウド５０８の部分よりもＰＴＣ発熱体５６０の近くに位置付けられている。このように、間隔（Ｇ１）に近接するシュラウド５０８の部分は、間隔（Ｇ２）に近接するシュラウド５０８の部分よりも高い温度に一般的に加熱されることとなる。しかし、粘着性部分５５２は、間隔（Ｇ１）に近接するシュラウド５０８の前面５０４から更に遠くに離間されている。粘着性部分５５２は、間隔（Ｇ２）に近接するシュラウド５０８の前面５０４に、より近くに離間されている。シュラウド５０８の縁部で粘着性部分５５２とシュラウド５０８との間の距離を減少させ、シュラウド５０８の中央で粘着性部分５５２とシュラウド５０８との間の距離を増大させることは、一般的に、前面５０４の中央部分とシュラウド５０８の縁部との間の温度勾配の主要因となり得る。したがって、粘着性部分５５２は、その全表面積にわたって均一に加熱されてもよい。いずれかの理論に束縛されるものではないが、粘着性部分５５２を一様に加熱することが生体組織をより忠実に模倣すると考えられることから、粘着性部分５５２を均一に加熱すること（すなわち、局所的なホットスポットを回避すること）は、捕虫装置の有効性を増加させると考えられる。
【００４６】
ここで図１３Ａ〜図１３Ｂを参照すると、別の例示的なカートリッジ６１８の分解等角図が示されている。カートリッジ６１８は、カートリッジ５１８と多くの点で類似しているか又は同一であり得る。例えば、カートリッジ６１８は、飛ぶ虫又は這う虫を受け入れるための１つ又は２つ以上の開口部６３２を画定する前側ハウジング６２４を有する。粘着性部分６５２は、前側ハウジングと後側ハウジング６２８との間に取り外し不能に取り付けられる。カートリッジ６１８は、関連付けられたベース部のスイッチに係合するための垂下タブ６６４を更に含むことができる。インサート２５０及び３５０と同様に、カートリッジ６１８は、１組のＬＥＤ  ６１６を含むように示される光源６１４を含む。ＬＥＤ６１６は、関連付けられた捕虫装置の動作中にＬＥＤが粘着性部分６５２の後方にあるように位置付けられている。垂下タブ６６４の垂直中心線は、カートリッジ６１８の垂直中心線からずらされ、対応するベース部のスイッチ内に受容されるように位置付けられている。垂下タブ６６４はまた、捕虫装置のベース部内の対応する接点と電気的に接触するように位置付けられた電気接点６１７を有する。ベース部と電気的に接触すると、電力を、電気接点６１７及び回路６１９を介して供給することができ、カートリッジ６１８に搭載されてもよい光源６１４が点灯され、かつ／又は他の誘引要素が照らされる。カートリッジ６１８は、図１１のベース部５０２と同様のベース部に連結することができ、これにより、シュラウド５０８に類似するシュラウドが、カートリッジ６１８の底部開口部６３４を通して受容され得るようになっている。次いで、粘着性部分６５２は、上記の技術に従って加温することができ、ＬＥＤ  ６１６は、粘着性部分６５２の後面を照らすことができる。
【００４７】
ここで図１４〜図１８を参照すると、カートリッジ及びベース部の、更なる例示的な構成が示されている。これらの構成では、カートリッジのシェルは、電気発熱体及び／又は光源を取り外し不能に収容することができる。上述された構成と同様に、インサートは、インサートの粘着性部分が、発熱体によって加熱され、光源によって照らされ得るように、少なくとも部分的にシェル内にて、取り外し可能に保持され得る。図１４は、インサート７５２を搭載することができるシェル７２２（図１５）を有する、例示的なカートリッジ７１８を図示する。インサートがシェル７２２内に着座すると、次いで、カートリッジ７１８は、以下により詳細に説明するように、ベース部７０２に連結することができる。シュラウド７０８は、シェル７２２と共に配置され、上述した構成と同様に、１つ又は２つ以上の電気発熱体が、シュラウド７０８の凹面状前面７０４の後方に位置付けられていてよい。シェルはまた、図示の実施形態では前面７０４のベース部に近接して位置付けられた３つのＬＥＤ  ７１６を含む光源７１４を含む。前面７０４の少なくとも一部は、光源７１４によって生成された光の光拡散、散乱及び／又は反射を助けるように、粗面化されていてもよい。
【００４８】
カートリッジ７１８は、ベース部７０２の対応する電気接点７４２Ａ〜Ｄと係合するように位置付けられている電気接点７４０Ａ〜Ｄを有することができる。いくつかの構成では、カートリッジの電気接点７４０Ａ〜Ｄは、ピンであり、ベース部７０２の電気接点７４２Ａ〜Ｄは、ソケットであるが、他の構成を用いてもよい。電気接点の総数は、電気発熱体、光源などの必要に基づいて変化することができるが、図示のカートリッジ７１８では、電気接点７４０Ｂ及び７４０Ｃは、光源７１４用の回路と関連付けられ、電気接点７４０Ａ及び７４０Ｄは、電気発熱体用の回路に関連付けられている。この配置により、ベース部１０２によって電気接点７４０Ｂ及び７４０Ｃに供給されることとなる電圧／電流レベルは、電気発熱体の電気契約７４０Ａ及び７４０Ｄに供給される電圧／電流レベルと比較して異なることができる。
【００４９】
図１５は、捕虫装置７００の等角分解図である。例示的なインサート７５０が、図１４のカートリッジ７１８に挿し込まれるところが図示されており、カートリッジ７１８は、次いで、図１４のベース部７０２に連結することができる。更に明確にするために、図１６は、垂直軸に沿った図１５の捕虫装置７００の側断面図である。ここで図１５〜図１６を参照すると、インサート７５０は、上述したインサートと同様であり、フレーム７６６、粘着性部分７５２及びリザーバ７７６を有することができる。底部開口部７３４を通してシェル７２２内に完全に挿し込まれると（図１６）、インサート７５０の裏面７５６は、シュラウド７０８の前面７０４に近接して位置付けられることとなる。電気発熱体７１０は、前面７０４の後方に位置付けられ、光源７１４は、インサート７５０の裏面７５６とシュラウド７０８の前面７０４との間に位置付けられている。
【００５０】
捕虫装置１００の動作を準備するために、着座したインサート７５０を備えたシェル７２２は、ユーザによってベース部７０２に連結することができる。連結の結果として、電気接点７４０Ａ〜Ｄは、ベース部７０２の対応する電気接点７４２Ａ〜Ｄに接触することとなる。インサート７５０の構造に応じて、ベース部は、リザーバ７７６の少なくとも一部を受容するように寸法決めされた空洞７２０を含んでもよい。上述した構成と同様に、インサート７５０は、ベース部７０２内のスイッチに係合するように位置付けされた垂下タブ７６４を任意選択的に含むことができる。そのような構成では、例えば、シェル７２２がベース部７０２に係合されて、スイッチもまた垂下タブ７６４によってアクティブにされるときにのみ、電気発熱体７１０及び光源７１４に、電力が供給されることとなる。このようにして、電気発熱体７１０及び光源７１４は、ユーザがインサート７５０をシェル７２２内に適切に位置付け、シェル７２２をベース部７０２に取り付けたときにのみ動作可能となる。
【００５１】
捕虫装置１００の使用後、ユーザは、カートリッジ７１８をベース部７０２から取り外すことができる。インサート７５０は、シェル７２２の一定部分を締め付ける（squeeze）ことによるなどの任意の好適な技術によって、シェル７２２から除去することができる。シュラウド７０８、電気発熱体７１０及び光源７１４は、インサート７５０が除去されたとき、シェル７２２内に保持されたままである。
【００５２】
ここで図１７〜図１８を参照すると、シェル８２２の別の例示的な構成が図示されている。図１７は、関連付けられたベース部８０２を備えるシェル８２２の分解正面図を示す。シェル８２２の前側ハウジングは、説明の目的のために示していない。図１８は、シェル８２２の背面図である。ベース部８０２は、ベース部７０２と同様であり、シェル８２２の電気接点８４０Ａ〜Ｄを受容するように構成された電気接点を含むことができる。シュラウド８０８は、シェル８２２の後側ハウジング８２８に連結されている。図示の構成では、２つの接続点８０９（図１８）は、シュラウド８０８を後側ハウジング８２８に連結するために使用される。以下により詳細に説明するように、これらの接続点８０９は、インサートの除去中に、シェル８２２の様々な屈曲を容易にするために役立つことができる。シュラウド８０８は、動作中にシュラウド８０８の前面８０４を加熱するように構成された電気発熱体（図示せず）を収容することができる。他の構成と同様に、シュラウド８０８の前面８０４は、凹面状とし、前面８０４に近接して取り付けられたＬＥＤ  ８１６又は他の種類の光源と共にテクスチャ加工することができる。
【００５３】
シェル８２２はまた、シェル８２２の内面に少なくとも部分的に沿って延びる、対向するガイドレール８４４を含むことができる。対向するガイドレール８４３の内面８４３は、幅（Ｇ）を有する間隔を形成することができる。インサートをシェル８２２内に滑り込ませると、ガイドレール８４４が、インサート８２２の相対的な配置を摩擦嵌合を介して維持するように、幅（Ｇ）は、インサートの幅よりもわずかに狭くてもよい。他の技術は、インサートをシェル８２２と機械的に係合するために使用されてもよい。シェル８２２からインサートを取り外すために、シェル８２２は、ベース部８０２から除去することができ、ユーザは、シェル８２２の前面及び／又は後面を、それらの部分を内側に屈曲させるために締め付けることができる。例示的なディンプル８９２は、後側ハウジング８２８上の例示的な締め付け点として図１８に示されている。同様のディンプルは、シェル８２２の前側ハウジング上に設けられてもよい。シェル８２２のそれらの部分が内側に屈曲するにつれて、ガイドレール８４３は、外側に広がることとなり、それにより間隔（Ｇ）が増大し、インサートとの摩擦嵌合が解除される。なお、後側ハウジング８２８に対するシュラウド８０８の２つの接続点８０９は、シェル８２２内部でのシュラウド８０８の配置が維持されたまま、インサートが取り外され得るような、シェル８２２の屈曲を容易にするために役立つことができる。
【００５４】
上記の様々な例がＰＴＣ型電気発熱体を利用しているが、この開示は、そのように限定されない。いくつかの構成に従って、捕虫装置は、熱を生成するために１つ又は２つ以上の抵抗型発熱体を利用することができる。更に、１つ又は２つ以上の温度センサは、捕虫装置の熱的条件を監視するために使用することができる。動作中の熱的条件に基づいて、温度を制御するために、一定の動作をとることができる。例えば、以下により詳細に説明するように、電気発熱体は、オフにする、オンにする、出力を上げる、出力を下げる、又は、他の様式で感知温度に応じて制御することができる。有益なことに、そのようなフィードバック回路を用いることにより、周囲温度は、電気発熱体を作動させるときに考慮することができる。例として、周囲温度が相対的に高い場合、電気発熱体は、捕虫装置の粘着性部分の過剰な加熱を回避するために、低頻度で又はより低い電力レベルで通電することができる。比較として、相対的により低温の環境で動作する場合、電気発熱体は、より頻繁に又はより高いレベルで動作して、粘着性部分の温度を所望の温度範囲内に維持することができる。上述したように、粘着性部分を加温して生体表面（すなわち、皮膚）の熱シグネチャを模倣することは、ある種類の虫を捕虫装置に誘引することに役立ち得る。粘着性部分を過剰に加熱すること又は粘着性部分を適切に加熱しないことにより、性能を阻害する恐れがある。したがって、周囲の動作条件に基づいて粘着性部分の加熱を制御することができることで、カ、ノミ、ダニなどの皮膚に引き寄せられる虫を誘引する性能を向上させることができる。
【００５５】
様々な技術は、温度フィードバック制御ループを提供するために利用することができる。いくつかの構成では、捕虫装置の１つ又は２つ以上の部分の温度は、電気発熱体に近接して位置付けられた温度センサにより監視することができる。温度センサの種類の一例は、感知温度に基づいて抵抗値が変化する負温度係数（ＮＴＣ）サーミスタセンサである。したがって、温度センサの抵抗値は、熱制御回路に提供される基準出力を生成することができる。温度センサの出力（すなわち、抵抗値）に基づいて、熱制御回路は、適切な動作をとることができる。
【００５６】
いくつかの実施形態では、熱制御回路は、温度センサの抵抗値に基づいて出力を生成する１つ又は２つ以上の比較器又は他の論理構造を含むことができる。出力は、電気発熱体に電気的に結合されたスイッチを制御することができる。一般的に、比較器は、第１の電圧レベルを第２の電圧レベルと比較し、この比較に基づく出力を生成する。第１の電圧レベルは、適切な抵抗体を使用して所望の温度閾値に相当する特定のレベルに設定することができる。温度センサは、第２の電圧レベルが第１の電圧レベルを超えたとき（又は構成に応じて、第１の電圧レベル未満であるとき）、温度閾値が超過されたこととなるように、第２の電圧レベルを変化させるように機能することができる。その時点で、比較器は、電気発熱体と直列接続されているトランジスタなどのスイッチを開にするために、出力を生成することができる。
【００５７】
いくつかの実施形態では、熱制御回路は、制御ロジックでプログラムされたマイクロコントローラなどの制御部を含むことができる。上記と同様に、温度センサは、温度に基づき、抵抗値を変化させ、制御部に電圧レベルの形で提供してもよい。電圧レベルに基づいて、制御部は、電気発熱体への電力を制御するスイッチを制御するために使用される出力を生成することができる。いくつかの構成では、制御部は、高い温度閾値及びより低い温度閾値などの、複数の温度閾値をロジック内に実装することができる。以下により詳細に説明するように、２つの閾値を用いることで、スイッチング機能のためのヒステリシスを提供することができ、したがって、電気発熱体の過剰なスイッチングを制限することができる。
【００５８】
図２６Ａは、ベース部１０２の等角図を図示し、図５Ａに類似して、明確にするためにカートリッジ１１８を除去して示し、ベース部１０２は、シュラウド１０８内に位置付けられた温度センサ１３６を有する。図２６Ｂは、ベース部１０２の部分切欠図である。温度センサ１３６は、図２６Ａに概略的に示されているが、温度センサ１３６の大きさ、形状及び配置場所が変化してもよいことを理解されたい。図２６Ａ〜図２６Ｂを参照すると、温度センサ１３６が、回路基板１０６の熱制御回路に提供することができる出力を生成するように、温度センサ１３６は、電気発熱体１１０に近接して位置付けられている。示すように、温度センサ１３６は、電気発熱体１１０に近接して位置付けて、相対的に迅速な温度フィードバック及びより正確な温度感知を提供することができる。電気発熱体１１０は、通電時に発熱する抵抗体とすることができる。電気発熱体１１０が好適な電源（電池、壁ソケットなど）によって通電されているとき、電気発熱体１１０は、詳細に上述したように、シュラウド１０８を加熱する金属板１５８（図２６Ｂ）を加熱する。発生する熱の量は、温度センサ１３６によって感知される。したがって、電気発熱体１１０により生成される熱は、動作中に温度センサ１３６によって提供される温度フィードバックに基づいて、関連付けられた熱制御回路により制御することができる。温度センサ１３６は、図２６Ａ及び図２６Ｂに示すように、温度フィードバック情報が、電気発熱体１１０により熱が発生すると比較的早く生成され得るように、シュラウド１０８の内側に、電気発熱体１１０に密に近接して配置することができる。追加的に又は代替的に、温度センサ１３６は、ベース部１０２に対して内部又は外部のどこにでも配置して、粘着性部分１５２（図３Ａ）、前面１０４及び／又は他の対象の個所の温度などの様々な温度状態を感知することができる。更に、単一点電気発熱体１１０が図２６Ａに示されているが、１つ又は２つ以上の温度センサ１３６により提供される温度フィードバックに基づいて個別に又は一括して制御される、複数の発熱体（すなわち、複数の抵抗体）が利用されてもよいことが理解される。
【００５９】
ここで図２７を参照すると、シュラウド１０８内に位置付けられた電気発熱体１１０の種類の一例を図示するベース部１０２の断面図は、明確にするために様々な部品を除去して示されている。電気発熱体１１０は、フレーム１１１に取付けられた抵抗体１４０であり、フレーム１１１は、金属板１５８に連結されている。明確にするために、図２８は、金属板１５８の後面を、それに連結されたフレーム１１１と共に示す。図２７〜図２８を参照すると、温度センサ１４２もまたフレーム１１１に取り付けられている。図示した実施形態では、温度センサ１４２は、温度の上昇と共に抵抗値が減少する負温度係数（ＮＴＣ）サーミスタである。他の実施形態では、感知温度に基づく出力を生成する様々な種類の温度センサは、いくつかある中で熱電対、抵抗温度計などを使用することができる。抵抗体１４０及び温度センサ１４２のそれぞれは、熱制御回路の部分として回路基板１０６（図２７）に電気的に接続されている。
【００６０】
抵抗体１４０が通電されると、それにより、金属板１５８及び外側に放射する熱が生成され、シュラウド１０８の前面１０４を加熱する（図２６Ｂ）。温度が上昇するにつれて、温度センサ１４２は、抵抗値が低下する。抵抗値がある程度まで低下すると、以下でより詳細に説明されるように、熱制御回路は、過剰な加熱を回避するために抵抗体１４０による発熱量を減少させることができる。例えば、発熱量を低減するために、抵抗体１４０は、電源から切り離すことができるか、又は抵抗体１４０に供給される電力量を低下させることができる。次いで、温度センサ１４２により感知される温度は、低下し始めることとなり、その負の温度係数により温度センサ１４２の抵抗値が増大する結果となる。抵抗値が、回路基板１０６の制御ロジックにより設定された一定量まで上昇すると、熱制御回路は、抵抗体１４０に再度通電して、抵抗体１４０による発熱量を増加させることができる。
【００６１】
ここで図２９を参照すると、金属板１５８を加熱するための電気発熱体１１０の別の実施例が示されている。この実施形態では、電気発熱体１１０は、セラミック封入抵抗体１４４である。セラミック封入抵抗体１４４は、図３０に示すフレーム１１３によって保持することができ、フレーム１１３は、金属板１５８に連結されている。いくつかの実施形態では、フレーム１１３は、セラミック封入抵抗体１４４の相対位置を、金属板１５８と熱的に接触したままであるように維持するためのブレース１１９（図３０）を有する。更に、図３０に示すように、フレーム１１３は、セラミック封入抵抗体１４４の一部を受容するように寸法設定されたフレーム壁１１７によって画定された開口部１１５を有することができ、これにより、セラミック封入抵抗体１４４の表面が、金属板１５８に接触して熱伝達に役立つことができるようになっている。抵抗体１４０用のフレーム１１１の配置と同様に、温度センサ１４２は、セラミック封入抵抗体１４４に近接する位置でフレーム１１３へと挿し込まれ得る。
【００６２】
抵抗体１４０又はセラミック封入抵抗体１４４などの電気発熱体１１０は、約０．５Ｗ、２Ｗ、２．５Ｗ〜約３．５Ｗ、４Ｗ、１５Ｗ、好ましくは、約２．５Ｗ〜約３．５Ｗの電力定格を有することができる。一実施形態では、電気発熱体は、３Ｗの電力定格を有する抵抗体である。更に、いくつかの構成では、電気発熱体１１０は、複数の抵抗体を含むことができる。複数の抵抗体の総電力定格は、約０．５Ｗ、２Ｗ、２．５Ｗ〜約３．５Ｗ、４Ｗ、１５Ｗ、好ましくは約２．５Ｗ〜約３．５Ｗとすることができる。更に、電気発熱体１１０は、約１．５ｋΩ、３ｋΩ、３．５ｋΩ〜約４ｋ、４．５ｋ、５．５ｋ、好ましくは、３．５ｋΩ〜４ｋΩの抵抗値を有することができる。一実施形態では、電気発熱体は、３．７７ｋΩの抵抗値を有する抵抗体である。起動時（すなわち、発熱状態）では、電気発熱体１１０は、約１Ｗ〜３Ｗの電力を消費し得る。一実施形態では、電気発熱体は、１．８Ｗの電力を消費する抵抗体である。
【００６３】
ここで図３１を参照すると、熱制御回路を有する例示的な捕虫装置９０２のブロック図が示されている。捕虫装置９０２は、電気発熱体９１０を選択的に通電することができる電力源９２２を有することができる。いくつかの構成では、電力源９２２は、壁コンセントなどの電源９２４からの電力を受けることができる。他の構成では、電力源９２２は、例えば、電池などの内蔵の（local）電源とすることができる。電気発熱体９１０は、抵抗体１４０（図２８）又はセラミック封入抵抗体１４４（図２９）などの抵抗体、又は抵抗体の組み合わせとすることができる。電気発熱体９１０は、粘着性部分などの捕虫装置９０２の部分を所望の温度範囲に加熱するように位置付けることができる。ＮＴＣサーミスタなどの温度センサ９４２は、例えば、熱を感知し、感知した熱に基づいて制御部９２６に出力を提供するように位置付けられている。制御部９２６は、図３１に示すように、スイッチング素子９２０と電気的に接続していてよい。電気発熱体９１０に供給される電力を制御するために、制御部９２６は、スイッチング素子９２０に制御信号を提供することができる。例えば、スイッチング素子９２０は、電気発熱体９１０を電力源９２２から電気的に絶縁するために開状態に動くことができるか、又は電気発熱体９１０を電力源９２２との電気的接続状態に置くために閉状態に動くことができる。図３１は、単一の電気発熱体９１０及び単一温度センサ９４２を概略的に示しているが、他の構成は、複数の電気発熱体９１０及び／又は複数の温度センサ９４２を利用することができる。更に、捕虫装置の構成に応じて、１つ又は２つ以上の電気発熱体にそれぞれ関連付けられた複数の制御部９２６を利用することができる。
【００６４】
図３２は、本開示に従った例示的な捕虫装置の温度調節のための例示的な処理フロー１０００を示す。ブロック１００２では、処理フロー１０００は、捕虫装置の電源を入れること、ユニットを壁コンセントに差し込むこと、又はそれ以外の場合には装置を初期化することにより、開始する。ブロック１００４では、捕虫装置の一部分の温度に相当する温度センサ出力が、制御部で受信される。上述したように、出力は、制御部によって可読な電圧レベルに変換された抵抗値の形態であってもよい。ブロック１００６では、感知温度が第１の温度閾値（すなわち、最大温度閾値）を超えているかどうかが判定される。感知温度が第１の温度閾値を超えている場合、処理は、ブロック１００８に進み、電気発熱体は、電源から電気的に絶縁される。次いで、処理は、ブロック１００４にループバックする。感知温度が第１の温度閾値を超えていない場合、処理は、ブロック１０１０へ進み、感知温度が第２の温度閾値（すなわち、最小温度閾値）未満であるかどうかが判定される。感知温度が第２の温度閾値未満の場合、処理は、ブロック１０１２に進み、電気発熱体は、電源に電気的に接続される。感知温度が第２の温度閾値未満ではない場合、処理は、ブロック１００４にループバックする。
【００６５】
図３３は、非限定的な一実施形態に従った経時的な捕虫装置の感知温度１１０６のプロット１１００を示す。感知温度１１０６は、例えば、温度センサ１４２又は９４２などの温度センサによって感知することができる。実線で示す感知温度１１０６の線分は、捕虫装置の電気発熱体が発熱していることを示し、破線で示す感知温度１１０６の線分は、電気発熱体が発熱していないことを示す。プロット１１００はまた、第１の温度閾値１１０３及び第２の温度閾値１１０４を示す。第１の温度閾値１１０３及び第２の温度閾値１１０４のそれぞれは、捕虫装置の粘着性部分に対する温度センサの相対位置に基づいて、又は他の考慮に基づいて、選択することができる。一実施形態では、第１の温度閾値１１０３は、４７℃に設定され、第２の温度閾値１１０４は、４５℃に設定される。
【００６６】
ここで図３２〜図３３を参照すると、起動時の感知温度１１０６は、室内温度と同様であろうから（室温が第２の閾値１１０４未満であると想定して）、第２の温度閾値１１０４未満である。したがって、処理ブロック１０１２によって提供されるように、捕虫装置の電気ヒータが電源に電気的に接続されるため、温度上昇をもたらす。感知温度１１０６が第１の温度閾値１１０３に達したとき、切替点１１０８によって示すように、処理ブロック１００８は、電気発熱体を電源から電気的に絶縁する。したがって、図３３に示すように、感知温度は、下降し始める。感知温度１１０６が第２の温度閾値１１０４に達したとき、切替点１１１０によって示すように、処理ブロック１０１２は、電気発熱体を電源に電気的に接続する。図３３に示すように、電気発熱体が電源に接続されると、感知温度は、上昇し始める。本明細書で説明された制御パラダイムを用いて、電気発熱体は、第１の温度閾値１１０３と第２の温度閾値１１０４との間の温度範囲で断続的に電力供給される。
【００６７】
図３４は、非限定的な一実施形態に従った捕虫装置１１０２の例示的な回路図である。捕虫装置１１０２は、壁コンセントなどの電源１１２４から交流電力を受けることができる。電源スイッチ１１３０は、装置をオン又はオフするために使用することができる。いくつかの構成では、電源スイッチ１１３０は、カートリッジの装着時に起動される装置のベース部内に組み込まれる。電源９２４からの電力は、ＬＥＤ駆動回路１１８０によって示されるように、ＬＥＤを駆動するために整流され、次いで降圧することができる。電源１１２４からの電力はまた、降圧されて、制御部駆動回路１１９０によって示されるように、制御部１１２６用の動作電圧（例えば、ＶＣＣ）を生成することもできる。
【００６８】
熱制御回路１１７０は、電気発熱体１１１０、スイッチ１１２０、温度センサ１１４２及び制御部１１２６を含むことができる。温度センサ１１４２の抵抗値は、制御部１１２６によって処理することができる電圧に変換される。電圧レベルに応じて、制御部１１６は、ＭＯＳＦＥＴトランジスタとすることができるスイッチ１１２０に適切な制御信号を送信することができる。したがって、制御部１１２６は、図３３に示すように、第１の温度閾値及び第２の温度閾値を実装するロジックによりプログラムすることができる。動作中に、電源スイッチ１１３０が閉じ、スイッチ１１２０が閉じているとき、電力源１１２４からの電力は、電気発熱体１１１０に通電するために使用されて熱を生成することができる。電源スイッチ１１３０又はスイッチ１１２０のうちのいずれかが開くと、電気発熱体１１１０は、電源１１２４から電気的に絶縁されることとなる。図３４の回路概略図は、１つの電気発熱体１１１０及び１つの温度センサ１１４２を示しているが、いくつかの熱制御回路が複数の電気発熱体１１１０及び／又は複数の温度センサ１１４２を利用してもよいことを理解されたい。更に、いくつかの実施形態では、複数の制御部１１２６及び／又は複数の熱制御回路を使用することができる。
【００６９】
図３５は、非限定的な一実施形態に従った捕虫装置１１０２の例示的な回路図である。この実施形態では、熱制御回路１１７０は、電圧比較器１１２８である制御部を含む。比較器１１２８の出力は、スイッチ１１２０の状態を制御するために使用される。抵抗器１１４４及び１１４６は、分圧器として構成され、電圧比較器１１２８の非反転入力（＋）において、温度閾値を規定する入力電圧を設定するように選択される。また、温度センサ１１４２及び抵抗器１１４８は、電圧比較器１１２８の反転入力（−）に、センサ温度に対応する入力電圧を供給する分圧器として構成される。温度センサ１１４２によって感知された温度が上昇しているものの、温度閾値を依然として下回っているとき、電圧比較器１１２８の反転入力（−）に与えられる電圧は、電圧比較器１１２８の非反転（＋）入力における電圧よりも低い。したがって、電圧比較器１１２８の出力電圧は、スイッチ１１２０を導通状態に設定するＶＣＣ電圧レベルに実質的に等しいため、電源スイッチ１１３０もまた導通状態にあると想定すると、電流は、電気発熱体１１１０を通って流れることができる。温度が上昇して、温度センサ１１４２の温度が温度閾値を超えて十分に上がると、温度センサ１１４２の抵抗値が下がるため、電圧比較器１１２８の出力は、ＨｉｇｈからＬｏｗに変化し、その結果、スイッチ１１２０は、開になる。次いで、電気発熱体１１１０は、電源１１２４から絶縁されて、冷却されることとなる。温度センサ１１４２もまた冷却されて、その抵抗値が増加することとなる。その抵抗値が一定のレベルに達すると、電圧比較器１１２８の出力は、ＬｏｗからＨｉｇｈに変化し、スイッチ１１２０の閉鎖が起こり、電気発熱体１１１０は、電力源１１２４との電気的接続状態に戻される。
【００７０】
表面温度試験方法
捕虫装置の表面温度は、以下の手順に従って、起動された装置の３つの表面位置にわたって測定される。温度測定は、較正された熱電対型温度計（Ｆｌｕｋｅ  Ｃｏｒｐｏｒａｔｉｏｎ，Ｅｖｅｒｅｔｔ，Ｗａｓｈｉｎｇｔｏｎ，Ｕ．Ｓ．Ａから入手可能な、Ｆｌｕｋｅ  Ｍｏｄｅｌ  ５１など）を用いて行われ、熱電対プローブ先端は、およそ１ｍｍの直径を有する。
【００７１】
測定すべきであると指定された捕虫装置の３つの表面位置は、すなわち、粘着性部分、シュラウドの前面及び電気発熱体の前面である（図１〜図１３Ｂを参照されたい）。それぞれの捕虫装置は、異なる２つの大気条件、すなわち、相対湿度２０〜６０％ＲＨの２３℃±２℃及び相対湿度２０〜６０％ＲＨの３０℃±１℃で測定される。空気の動きが結果に影響を及ぼす恐れがあるため、空気の流れ及び気流から捕虫装置が保護されている間のみ、測定を行う。この試験方法の目的のために、定常状態温度は、５分の監視期間中に±１℃の範囲内で変動する表面温度として定義され、指定された表面のおよそ中央で捕虫装置に接触して配置された熱電対により測定された温度として定義される。
【００７２】
試験されることとなるそれぞれの捕虫装置は、指定された２３℃の大気条件に捕虫装置を設置し、インサート又はカートリッジに関連付けられてもよいライナーなどの任意の剥離ライナーを除去することによって最初に準備される。粘着性部分が装着されたカートリッジは、製造者が提供する任意の指示に従って捕虫装置に装着される。熱電対プローブ先端が測定すべき粘着性部分の領域に接触しやすいように容易にアクセスできるようにするためには、捕虫装置の外側シェルの開口部がサイズ又は位置において不十分である場合には、装置の外側シェルは、変更されてそのようなアクセスが提供される。装置の外側シェルは、必要に応じて除去してもよく、そのような変更は、鋭利な刃を用いてシェルに慎重に穿刺して行われ、複数の小さな穿孔スリットを形成する。それぞれの穿孔は、シェルの厚さにわたって切断されたＸパターンを一緒に形成する１対の重複する直交スリットを含む。スリットは、熱電対プローブ先端がシェルを貫通して測定すべき粘着性部分の領域に接触するのに必要な最小長さである。スリットは、他の方法では、シェルを通って熱電対プローブによりアクセス可能ではない、測定すべき粘着性部分の領域にわたっておよそ１ｃｍの間隔で格子状に配置される。シェルの厚さ及び／又は強度がそのようなスリットの切断を妨げる場合には、プローブ先端直径よりもわずかに大きい孔が、スリット穿孔の代わりにシェルを貫通して穿孔されてもよい。改変されたシェルは、装置上に戻されて再装着される。粘着性部分への適切なアクセスがシェルを改変することによって提供できない場合には、測定すべき粘着性部分の領域に適切なアクセスを提供するためにシェルを除去してもよい。説明の目的のために、図１９は、例示的な捕虫装置９００を図示し、およそ１ｃｍ間隔で孔９６８を穿孔した後のシェル９２２を示す。
【００７３】
捕虫装置は、カートリッジをベース部に装着し、装置ラベル上に指定されるような、又は、他の方法で指示されるような、適切な電圧で装置に電力を供給することにより、起動される。次いで、装置は、少なくとも３０分間昇温させる。３０分の加熱後、熱電対温度計を定期的に使用して測定すべき粘着性部分の位置を監視し、装置は、監視位置が定常状態温度に達するまで加温を継続する。定常状態温度が検出されたとき、その装置について、２３℃の条件で、粘着性部分の報告対象の表面温度を測定する準備ができている。
【００７４】
２３℃の条件で粘着性部分を測定するために、測定が加熱された露出粘着領域の表面のおよそ１センチメートル角ごとの範囲内で行われるように、表面温度は、グリッドパターンで繰り返し測定される。加熱されたシュラウド部分の直前にあるグリッド型測定の平均値が算出され（定常状態平均温度）、これらのグリッド型測定の最小値及び最大値の両方はまた、（ｉ）シュラウドの直前にあるかどうかにかかわらず、加熱された粘着性部分全体について（それぞれ最小定常状態温度及び最大定常状態温度）、（ｉｉ）シュラウドの直前にある粘着性部分について（それぞれ直接熱最小定常状態温度及び直接熱最大定常状態温度）決定される。これらの３つの温度計量法の値は、２３℃の大気条件で粘着性部分について報告される。
【００７５】
次いで、装置は、指定された３０℃大気条件に置かれ、電力で起動され、少なくとも３０分間、粘着性部分が再び定常状態温度に達するまで加熱される。熱電対型温度計はまた、同一大気条件下で平衡化される。次いで、粘着性部分は、上記で指定された同じ３つの温度計量法の値を決定するために、上記で使用した同じグリッドパターン技術及び計算を用い再度測定されるが、この場合は結果が３０℃の大気圧条件で取得かつ報告されることを除く。
【００７６】
シュラウドの前面の測定を開始する前に、装置の外側シェルを除去し、下記のように粘着性部分が修正されるまで残しておく。シェルを一時的に取り外すことができない場合、前方部分は、粘着性部分の必要な変更後に交換することができるような様式で切除してもよい。シェル又はシェルの前方部分が一時的に除去された後、粘着性部分は、装置から除去され、シェルの変更用に上述された様式に類似する様式で、複数のスリット又は小孔により慎重に開口形成される。それぞれの開口部は、直径がおよそ１ｍｍの寸法を有し、熱電対プローブが粘着性部分を通過できるようにするのに十分である。粘着性部分が穿刺処理後に支持フレーム又は架台に確実に良好に取り付けられたままにするように配慮される。孔は、粘着シートにわたって、粘着性部分の温度を記録するときに以前測定されたほぼ同一の位置に、およそ１ｃｍ間隔のグリッドパターンで配列される。それぞれの開口部は、加熱されたハウジングの表面の部分の直前の粘着シートに、シェルを交換した後にシェルの開口部と位置合わせされて、配置されるべきである。開口形成された粘着性部分は、装置内に再装填され、外側シェル又はシェル部分は、交換される。説明の目的のために、図２０は、例示的な捕虫装置９００を図示し、およそ１ｃｍ間隔で孔９７０を穿孔した後で、シェルに再取り付けする前の粘着性部分９５２を示す。
【００７７】
穿孔された粘着性部分を備えた装置は、指定された２３℃の大気条件に置かれ、電力で起動され、少なくとも３０分間、シュラウドの前面が定常状態温度に達するまで加熱される。次いで、シュラウドの前面の表面は、熱電対をシェル内の開口部（すなわち、図１９の孔９６８）及び粘着性部分の開口部（図２０の孔９７０）の両方を通過させることにより、グリッドパターンで測定される。グリッドパターンで測定された温度の値は、２３℃で大気圧条件で定常状態平均温度、最小定常状態温度及び最大定常状態温度を決定するために使用されるが、この場合には結果がシュラウドの前面から取得かつ報告されることを除く。
【００７８】
次いで、装置は、指定された３０℃大気条件に配置され、電力で起動され、少なくとも３０分間、シュラウドの前面が再び定常状態温度に達するまで加熱される。熱電対型温度計はまた、同一大気条件下で平衡化される。次いで、シュラウドの前面は、上記で指定された同じ３つの温度計量法の値を決定するために、上記で使用した同じグリッドパターン技術及び計算を用い再度測定されるが、この場合は結果が３０℃の大気圧条件で取得かつ報告されることを除く。
【００７９】
装置の様々な構造部品は、電気発熱体が電気発熱体に電力供給かつ制御する電子回路基板に機能的に取り付けられたまま、電気発熱体の全ての表面への直接アクセスを提供するために分解かつ除去される。測定処理のこの段階中に安全を確保して感電を防止するために、追加の配慮をすべきである。露出した機能性の電気発熱体を備える捕虫装置は、指定された２３℃大気条件に置かれ、電力により起動され、少なくとも３０分間、電気発熱体の前面が定常状態温度に達するまで加熱される。電気発熱体の前面の表面温度は、熱電対により単一の位置、すなわち、電気発熱体の面の表面のほぼ中央で測定される。２３℃大気条件で電気発熱体の前面から得られた温度測定値は、装置の設定点温度（Ｔｓ）として報告される。
【実施例】
【００８０】
以下の実施例は、例示の目的のためにのみ提供され、本発明の趣旨及び範囲から逸脱することなく多くの変更が可能であることから、本発明を限定するものとして解釈されるべきではない。
【００８１】
１．実施例１
図２１及び図２２は、内部に４つの抵抗発熱体と２つのＬＥＤを有する回路基板を含む、起立した通気ハウジングを備えるベース部の例を示す。４つの抵抗体のそれぞれは、３．３ｋΩの抵抗体であった。この特定の設計は、粘着シートの裏面の約５８．５ｃｍ２の表面積に対し、約６．５ｃｍ２の（通気部の表面積を含む）起立した通気ハウジングの前面表面積を有していた。カートリッジは、カートリッジがベース部に係合したとき、起立した通気ハウジングが、粘着シートに対する裏面に近接して配置されるように、ベース部に係合するように適合された。図２３は、約２２℃及び相対湿度約５０％の周囲条件における１２か所での粘着シートの表面の測定温度を示す。図２４は、約３１℃及び相対湿度約５０％の周囲条件における１２か所での粘着シートの表面の温度を示す。シュラウドの輪郭は、粘着性部分の輪郭の内部の範囲内で図２３及び図２４に示されている。全ての温度測定は、動作１．５時間後に定常状態条件で行われた。定常状態平均温度は、図２３では３０℃であり、図２４では３７℃であった。最大定常状態温度は、図２３では３７．２℃であり、図２４では４３．３℃であった。熱最小定常状態温度は、図２３では２６．６℃であり、図２４では３３．８℃であった。直接熱最大定常状態温度は、図２３では３７．２℃であり、図２４では４３．３℃であった。直接熱最小定常状態温度は、図２３では３５．５℃であり、図２４では３８．３℃であった。この実施例は、実施例２より高い定常状態平均温度にもかかわらず、シュラウドの輪郭の外側で温度が大幅に低下することを示す。
【００８２】
２．実施例２
ＳｈｅｎＺｈｅｎ  Ｊｉｎｋｅ  Ｓｐｅｃｉａｌ  Ｍａｔｅｒｉａｌｓ  Ｃｏ．，Ｌｔｄ．により製造されたＰＴＣサーミスタ、モデル番号１５−６−３によって加熱された金属板を内部に含む起立したハウジングを備えるベース部を有する図４〜図５に示した装置と類似する装置を試験した。ＰＴＣサーミスタのこのモデルは、６０℃±５℃の目標表面温度を有する。この特定の設計は、粘着シートの裏面の約４７ｃｍ２の表面積に対して、約３５ｃｍ２の起立したハウジングの前面表面積を有していた。本明細書の図４に示したカートリッジと同様の設計のカートリッジは、起立したハウジングが、カートリッジがベース部に係合したとき、粘着シートに対する裏面に近接して配置されるように、ベース部と係合するように適合された。図２５は、約２２℃及び相対湿度５０％の周囲条件における２９か所での粘着シートの表面の温度を示す。シュラウドの輪郭は、粘着性部分の輪郭の内側の範囲内で図２５に示されている。全ての温度測定は、動作１．５時間後に定常状態条件で行われた。定常状態平均温度は、３２．５℃であった。最大定常状態温度は、３４．４℃であった。熱最小定常状態温度は、２８．９℃であった。直接熱最大定常状態温度は、３４．４℃であった。直接熱最小定常状態温度は、３１．７℃であった。この例では、実施例１よりも低い定常状態平均温度にもかかわらず、シュラウドの輪郭を越えた温度の低下がより少ないことを示す。
【００８３】
本開示の更なる非限定的な開示
以下に記載する、番号を付した各段落は、後に必要に応じて、「特許請求の範囲」へ追加されるのに適した形式にて、本開示の更なる非限定的な開示を構成している。
１．
前面を有する、起立したシュラウドを含む、ベース部であって、シュラウドは、シュラウドの内部に配置された、シュラウドの前面を加熱するための電気発熱体を有する、ベース部と、
ベース部に取り外し可能に係合したカートリッジであって、カートリッジは、飛ぶ虫又は這う虫を受け入れるための開口部、及び、カートリッジがベース部と係合しているときに、シュラウドが通過する底部開口部を画定し、カートリッジは、虫を捕獲するための粘着性部分を含み、粘着性部分は、表面及び裏面を有する、カートリッジと、
シュラウドの外側にある光源であって、光源は、カートリッジがベース部と係合しているときに、シュラウドの前面の少なくとも一部分、及び粘着性部分の裏面の少なくとも一部分を照らす光を生成し、前面の一部分を照らす光の少なくとも一部分は、前面により、粘着性部分の裏面に向かって反射される、光源と、を含む、捕虫装置。
２．前面は、電気発熱体によって加熱可能であり、前面は、カートリッジがベース部と係合しているとき、粘着性部分に近接して配置され、前面は、電気発熱体によって加熱されたとき、１時間未満で定常状態平均温度に達する、実施例１に記載の捕虫装置。
３．シュラウドの前面の定常状態平均温度は、周囲温度２３℃において、約４０℃〜約５０℃である、実施例２に記載の捕虫装置。
４．シュラウドの前面は、周囲温度２３℃において、定常状態平均温度の±３．３℃以内の最小及び最大定常状態温度を有する、実施例３に記載の捕虫装置。
５．粘着性部分は、周囲温度２３℃において、約３２℃〜約３８℃の定常状態平均温度を有する、実施例１〜４のいずれか１つに記載の捕虫装置。
６．粘着性部分は、周囲温度３０℃において、約３５℃〜約４０．５℃の定常状態平均温度を有する、前述の請求項（the preceding clams）のいずれか一項に記載の捕虫装置。
７．粘着性部分は、定常状態平均温度の±１．５℃以内の最小及び最大定常状態温度を有する、実施例５又は６に記載の捕虫装置。
８．シュラウドの前面は、凹面形状である、実施例１〜７のいずれか１つに記載の捕虫装置。
９．カートリッジがベース部と係合しているとき、シュラウドの側縁部は、シュラウドの幾何中心よりも、粘着性部分に近接している、実施例８に記載の捕虫装置。
１０．シュラウドの側縁部と粘着性部分との間の間隔は、約０．５ｍｍ〜約３ｍｍである、実施例９に記載の捕虫装置。
１１．シュラウドの幾何中心と粘着性部分との間の間隔は、約４ｍｍ〜約１２ｍｍである、実施例９又は１０に記載の捕虫装置。
１２．光源は、１つ又は２つ以上のＬＥＤを含み、１つ又は２つ以上のＬＥＤはそれぞれ、直径が約０．５ｍｍ〜約１０ｍｍである、実施例１〜１１のいずれか１つに記載の捕虫装置。
１３．光源は、シュラウドの前面と粘着性部分の裏面との間に配置されている、実施例１〜１２のいずれか１つに記載の捕虫装置。
１４．シュラウドの前面の一部分は、粗面化されている、実施例１〜１３のいずれか１つに記載の捕虫装置。
１５．粗面化された、シュラウドの前面の一部分は、ＳＰＩ  Ａ−１程度〜ＳＰＩ  Ｄ−３程度の表面粗さ（Ｒａ）を有する、実施例１４に記載の捕虫装置。
１６．粗面化された、シュラウドの前面の一部分の表面積は、シュラウドの前面の表面積の約７０％〜約１００％である、実施例１５に記載の捕虫装置。
１７．カートリッジは、虫誘引組成物を格納するリザーバを更に含む、実施例１〜１６のいずれか１つに記載の捕虫装置。
１８．リザーバは、湾曲した前壁、及び実質的に平らな後壁により画定されている、実施例１７に記載の捕虫装置。
１９．カートリッジがベース部と係合しているとき、リザーバは、ベース部内に延びている、実施例１７又は１８に記載の捕虫装置。
２０．粘着性部分は、リザーバ内に延びている、実施例１７〜１９のいずれか１つに記載の捕虫装置。
２１．リザーバは、虫誘引組成物と粘着性部分との間に配置された開口部を更に画定している、実施例１７〜２０のいずれか１つに記載の捕虫装置。
２２．リザーバの深さは、約０．２ｃｍ〜約４ｃｍである、実施例１７〜２１のいずれか１つに記載の捕虫装置。
２３．ベース部は、回路基板を更に含み、回路基板は、カートリッジがベース部と係合しているとき、リザーバの後方に配置される、実施例１７〜２２のいずれか１つに記載の捕虫装置。
２４．カートリッジは、垂下タブを更に含み、垂下タブは、カートリッジがベース部と係合しているときに、ベース部のスイッチと係合する、実施例１〜２３のいずれか１つに記載の捕虫装置。
２５．粘着性部分の表面積は、約２５ｃｍ２〜約１５０ｃｍ２である、実施例１〜２４のいずれか１つに記載の捕虫装置。
２６．ベース部は、ベース部に電力を供給するために、電気ソケットに挿し込み可能である突起部を更に含む、実施例１〜２５のいずれか１つに記載の捕虫装置。
２７．ベース部は、光源を含む、実施例１〜２６のいずれか１つに記載の捕虫装置。
２８．カートリッジは、光源を含む、実施例１〜２７のいずれか１つに記載の捕虫装置。
２９．ベース部は、カートリッジがベース部と係合しているときに、光源に電力を供給するための接点を含む、実施例２８に記載の捕虫装置。
３０．シュラウドの前面の表面積は、粘着性部分の裏面の表面積の５０％、６０％、７０％、８０％、９０％、又はそれ以上である、実施例１〜２９のいずれか１つに記載の捕虫装置。
３１．電気発熱体は、使用中において、約５０℃〜約７０℃の温度に達する、実施例１〜３０のいずれか１つに記載の捕虫装置。
３２．光源は、シュラウドの底部近くに位置する、実施例１〜３１のいずれか１つに記載の捕虫装置。
３３．光源は、ベース部内部に配置されている、実施例３２に記載の捕虫装置。
３４．電気発熱体は、光源ではない、実施例１〜３３のいずれか１つに記載の捕虫装置。
３５．シュラウドの前面の一部分は、不透明である、実施例１〜３４のいずれか１つに記載の捕虫装置。
３６．シュラウドは、内部に空洞を有し、電気発熱体は、シュラウドの空洞内に配置されている、実施例１〜３５のいずれか１つに記載の捕虫装置。
３７．粘着性部分の裏面は、実質的に平らである、実施例１〜３６のいずれか１つに記載の捕虫装置。
３８．電気発熱体は、ＰＴＣ発熱体を含み、ＰＴＣ発熱体は、金属板と熱的に接触している、実施例１〜３７のいずれか１つに記載の捕虫装置。
３９．ＰＴＣ発熱体は、約５０℃〜約７０℃の設定点温度（Ｔｓ）を有する、実施例３８に記載の捕虫装置。
４０．金属板の厚さは、約０．２５ｍｍ〜約１．５ｍｍである、実施例３８又は３９に記載の捕虫装置。
４１．金属板は、アルミニウム製である、実施例３８〜４０のいずれか１つに記載の捕虫装置。
４２．金属板は、５ｃｍを超える幅を有する、実施例３８〜４１のいずれか１つに記載の捕虫装置。
４３．金属板の表面積は、約２３ｃｍ２〜約１４８ｃｍ２である、実施例３８〜４２のいずれか１つに記載の捕虫装置。
４４．電気発熱体は、シュラウドの前面を加熱するための少なくとも１つの抵抗体を含み、ベース部は、電気発熱体によって誘導された温度を感知するための、温度センサを更に含む、実施例１〜３７のいずれか１つに記載の捕虫装置。
４５．温度センサは、シュラウドに関連する温度を感知するために、シュラウド内に配置されている、実施例４４に記載の捕虫装置。
４６．少なくとも１つの抵抗体は、約０．５、２、２．５Ｗ〜約３．５、４、１５Ｗ、好ましくは、約２．５Ｗ〜約３．５Ｗの総電力定格を有する、実施例４４又は４５に記載の捕虫装置。
４７．少なくとも１つの抵抗体の抵抗値は、約１．５ｋΩ、３ｋΩ、３．５ｋΩ〜約４ｋ、４．５ｋ、５．５ｋであり、好ましくは、３．５ｋΩ〜４ｋΩである、実施例４４〜４６のいずれか１つに記載の捕虫装置。
４８．少なくとも１つの抵抗体に、少なくとも１つの抵抗体において約１Ｗ〜約３Ｗの電力が消費されるような電流及び電圧が供給される、実施例４４〜４７のいずれか１つに記載の捕虫装置。
４９．熱制御回路を更に含み、熱制御回路は、電気発熱体と温度センサを含む、実施例４４〜４８のいずれか１つに記載の捕虫装置。
５０．熱制御回路は、制御部とスイッチング素子を含み、制御部は、スイッチング素子及び温度センサと電気的に接続しており、スイッチング素子は、制御部により、導通状態と、発熱体を電源から電気的に絶縁する非導通状態との間で切替可能である、実施例４９に記載の捕虫装置。
５１．温度センサの感知温度が第１の温度閾値を超えた場合、スイッチング素子は、制御部により、非導通状態に切り替えられ、温度センサの感知温度が第２の温度閾値未満となった場合、スイッチング素子は、制御部により、導通状態に切り替えられる、実施例５０に記載の捕虫装置。
５２．温度センサは、感知温度に基づく基準出力を生成し、基準出力は、制御部により受け取られる、実施例５０又は５１に記載の捕虫装置。
５３．第１の温度閾値は、４８℃である、実施例５１又は５２に記載の捕虫装置。
５４．第２の温度閾値は、４０℃である、実施例５１〜５３のいずれか１つに記載の捕虫装置。
５５．温度センサが４０℃未満の温度を感知した場合、熱制御回路は、電気発熱体の両端に実質的に一定の電圧を供給する、実施例５１〜５４のいずれか１つに記載の捕虫装置。
５６．少なくとも部分的にシュラウド内に配置された金属板を更に含む、実施例４４〜５５のいずれか１つに記載の捕虫装置。
５７．電気発熱体及び温度センサは、金属板に取り付けられている、実施例５６に記載の捕虫装置。
５８．
前面を有する、起立したシュラウドを含む、ベース部であって、シュラウドは、シュラウドの内部に配置された、シュラウドの前面を加熱するための電気発熱体を有し、電気発熱体は、シュラウドを加熱するための、少なくとも１つの抵抗体を含む、ベース部と、
ベース部に取り外し可能に係合したカートリッジであって、カートリッジは、飛ぶ虫又は這う虫を受け入れるための開口部、及び、カートリッジがベース部と係合しているときに、シュラウドが通過する底部開口部を画定し、カートリッジは、虫を捕獲するための粘着性部分を含み、粘着性部分は、表面及び裏面を有する、カートリッジと、
電気発熱体の両端に、電圧を断続的に供給する熱制御回路と、を含む、捕虫装置であって、熱制御回路は、
電気発熱体によって誘導された温度を感知するための、温度センサと
温度センサと電気的に接続している制御部と、
制御部と電気的に接続しているスイッチング素子であって、スイッチング素子は、制御部により、導通状態と、電気発熱体を電源から電気的に絶縁する非導通状態との間で切替可能であり、温度センサの感知温度が第１の温度閾値を超えた場合、スイッチング素子は、制御部により、非導通状態に切り替えられ、温度センサの感知温度が第２の温度閾値未満となった場合、スイッチング素子は、制御部により、導通状態に切り替えられる、スイッチング素子と、を含む、捕虫装置。
５９．シュラウドの外側にある光源であって、光源は、カートリッジがベース部と係合しているときに、シュラウドの前面の少なくとも一部分、及び粘着性部分の裏面の少なくとも一部分を照らす光を生成し、前面の一部分を照らす光の少なくとも一部分は、前面により、粘着性部分の裏面に向かって反射される、光源を更に含む、実施例５８に記載の捕虫装置。
６０．前面は、電気発熱体によって加熱可能であり、前面は、カートリッジがベース部と係合しているとき、粘着性部分に近接して配置され、前面は、電気発熱体によって加熱されたとき、１時間未満で定常状態平均温度に達する、実施例５８又は５９に記載の捕虫装置。
６１．シュラウドの前面の定常状態平均温度は、周囲温度２３℃において、約４０℃〜約５０℃である、実施例５８〜６０のいずれか１つに記載の捕虫装置。
６２．シュラウドの前面は、周囲温度２３℃において、定常状態平均温度の±３．３℃以内の最小及び最大定常状態温度を有する、実施例６１に記載の捕虫装置。
６３．粘着性部分は、周囲温度２３℃において、約３２℃〜約３８℃の定常状態平均温度を有する、実施例５８〜６２のいずれか１つに記載の捕虫装置。
６４．粘着性部分は、周囲温度３０℃において、約３５℃〜約４０．５℃の定常状態平均温度を有する、実施例５８〜６３のいずれか１つに記載の捕虫装置。
６５．粘着性部分は、定常状態平均温度の±１．５℃以内の最小及び最大定常状態温度を有する、実施例６３又は６４に記載の捕虫装置。
６６．シュラウドの前面は、凹面形状である、実施例５８〜６５のいずれか１つに記載の捕虫装置。
６７．カートリッジがベース部と係合しているとき、シュラウドの側縁部は、シュラウドの幾何中心よりも、粘着性部分に近接している、実施例６６に記載の捕虫装置。
６８．シュラウドの側縁部と粘着性部分との間の間隔は、約０．５ｍｍ〜約３ｍｍである、実施例６７に記載の捕虫装置。
６９．シュラウドの幾何中心と粘着性部分との間の間隔は、約４ｍｍ〜約１２ｍｍである、実施例６７又は６８に記載の捕虫装置。
７０．光源は、１つ又は２つ以上のＬＥＤを含み、１つ又は２つ以上のＬＥＤはそれぞれ、直径が約０．５ｍｍ〜約１０ｍｍである、実施例５８〜６９のいずれか１つに記載の捕虫装置。
７１．光源は、シュラウドの前面と粘着性部分の裏面との間に配置されている、実施例５８〜７０のいずれか１つに記載の捕虫装置。
７２．シュラウドの前面の一部分は、粗面化されている、実施例５８〜７１のいずれか１つに記載の捕虫装置。
７３．粗面化された、シュラウドの前面の一部分は、ＳＰＩ  Ａ−１程度〜ＳＰＩ  Ｄ−３程度の表面粗さ（Ｒａ）を有する、実施例７２に記載の捕虫装置。
７４．粗面化された、シュラウドの前面の一部分の表面積は、シュラウドの前面の表面積の約７０％〜約１００％である、実施例７３に記載の捕虫装置。
７５．カートリッジは、虫誘引組成物を格納するリザーバを更に含む、実施例５８〜７４のいずれか１つに記載の捕虫装置。
７６．リザーバは、湾曲した前壁、及び実質的に平らな後壁により画定されている、実施例７５に記載の捕虫装置。
７７．カートリッジがベース部と係合しているとき、リザーバは、ベース部内に延びている、実施例７５又は７６に記載の捕虫装置。
７８．粘着性部分は、リザーバ内に延びている、実施例７５〜７７のいずれか１つに記載の捕虫装置。
７９．リザーバは、虫誘引組成物と粘着性部分との間に配置された開口部を更に画定している、実施例７５〜７８のいずれか１つに記載の捕虫装置。
８０．リザーバの深さは、約０．２ｃｍ〜約４ｃｍである、実施例７５〜７９のいずれか１つに記載の捕虫装置。
８１．ベース部は、回路基板を更に含み、回路基板は、カートリッジがベース部と係合しているとき、リザーバの後方に配置される、実施例７５〜８０のいずれか１つに記載の捕虫装置。
８２．カートリッジは、垂下タブを更に含み、垂下タブは、カートリッジがベース部と係合しているときに、ベース部のスイッチと係合する、実施例５８〜８１のいずれか１つに記載の捕虫装置。
８３．粘着性部分の表面積は、約２５ｃｍ２〜約１５０ｃｍ２である、実施例５８〜８２のいずれか１つに記載の捕虫装置。
８４．ベース部は、ベース部に電力を供給するために、電気ソケットに挿し込み可能である突起部を更に含む、実施例５８〜８３のいずれか１つに記載の捕虫装置。
８５．ベース部は、光源を含む、実施例５８〜８４のいずれか１つに記載の捕虫装置。
８６．カートリッジは、光源を含む、実施例５８〜８５のいずれか１つに記載の捕虫装置。
８７．ベース部は、カートリッジがベース部と係合しているときに、光源に電力を供給するための接点を含む、実施例８６に記載の捕虫装置。
８８．シュラウドの前面の表面積は、粘着性部分の裏面の表面積の５０％、６０％、７０％、８０％、９０％、又はそれ以上である、実施例５８〜８７のいずれか１つに記載の捕虫装置。
８９．電気発熱体は、使用中において、約５０℃〜約７０℃の温度に達する、実施例５８〜８８のいずれか１つに記載の捕虫装置。
９０．光源は、シュラウドの底部近くに位置する、実施例５８〜８９のいずれか１つに記載の捕虫装置。
９１．光源は、ベース部内部に配置されている、実施例９０に記載の捕虫装置。
９２．電気発熱体は、光源ではない、実施例５８〜９１のいずれか１つに記載の捕虫装置。
９３．シュラウドの前面の一部分は、不透明である、実施例５８〜９２のいずれか１つに記載の捕虫装置。
９４．シュラウドは、内部に空洞を有し、電気発熱体は、シュラウドの空洞内に配置されている、実施例５８〜９３のいずれか１つに記載の捕虫装置。
９５．粘着性部分の裏面は、実質的に平らである、実施例５８〜９４のいずれか１つに記載の捕虫装置。
９６．金属板を更に含み、電気発熱体は、金属板と熱的に接触している、実施例５８〜９５のいずれか１つに記載の捕虫装置。
９７．温度センサは、金属板と熱的に接触している、実施例９６に記載の捕虫装置。
９８．金属板の厚さは、約０．２５ｍｍ〜約１．５ｍｍである、実施例９６又は９７に記載の捕虫装置。
９９．金属板は、アルミニウム製である、実施例９６〜９８のいずれか１つに記載の捕虫装置。
１００．金属板は、５ｃｍを超える幅を有する、実施例９６〜９９のいずれか１つに記載の捕虫装置。
１０１．金属板の表面積は、約２３ｃｍ２〜約１４８ｃｍ２である、実施例９６〜１００のいずれか１つに記載の捕虫装置。
１０２．温度センサは、シュラウドに関連する温度を感知するために、シュラウド内に配置されている、実施例５８〜１０１のいずれか１つに記載の捕虫装置。
１０３．少なくとも１つの抵抗体は、約０．５、２、２．５Ｗ〜約３．５、４、１５Ｗ、好ましくは、約２．５Ｗ〜約３．５Ｗの総電力定格を有する、実施例５８〜１０２のいずれか１つに記載の捕虫装置。
１０４．少なくとも１つの抵抗体の抵抗値は、約１．５ｋΩ、３ｋΩ、３．５ｋΩ〜約４ｋ、４．５ｋ、５．５ｋであり、好ましくは、３．５ｋΩ〜４ｋΩである、実施例５８〜１０３のいずれか１つに記載の捕虫装置。
１０５．少なくとも１つの抵抗体に、少なくとも１つの抵抗体において約１Ｗ〜約３Ｗが消費されるような電流及び電圧が供給される、実施例５８〜１０４のいずれか１つに記載の捕虫装置。
１０６．温度センサは、感知温度に基づく基準出力を生成し、基準出力は、制御部により受け取られる、実施例５８又は１０５に記載の捕虫装置。
１０７．第１の温度閾値は、４８℃である、実施例５８又は１０６に記載の捕虫装置。
１０８．第２の温度閾値は、４０℃である、実施例５８〜１０７のいずれか１つに記載の捕虫装置。
１０９．少なくとも部分的にシュラウド内に配置された金属板を更に含む、実施例５８〜１０８のいずれか１つに記載の捕虫装置。
【００８４】
本明細書に開示されている寸法及び／又は値は、列挙した正確な数値寸法及び／又は値に厳しく制限されるものとして理解すべきではない。むしろ、別段の指定のない限り、このような寸法及び／又は値のそれぞれは、列挙した寸法及び／若しくは値、並びにその寸法及び／若しくは値の近辺の機能的に同等の範囲の両方を意味することを意図している。例えば、「４０ｍｍ」として開示される寸法は、「約４０ｍｍ」を意味するものとする。
【００８５】
あらゆる相互参照又は関連特許若しくは関連出願を含む、本明細書で引用される全ての文献は、明確に除外ないしは別の方法で限定されない限り、その全体が本明細書に参照として組み込まれる。いかなる文献の引用も、本明細書中で開示又は特許請求されている任意の発明に関する先行技術であることを認めるものではなく、あるいは上記の引用が、単独で又は任意の他の参考文献（単数又は複数）と組み合わせて、任意のそのような発明を教示、示唆、又は開示することを認めるものではない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【００８６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019517827.tif 000003
【図２】
2019517827.tif 000004
【図３Ａ】
2019517827.tif 000005
【図３Ｂ】
2019517827.tif 000006
【図４】
2019517827.tif 000007
【図５Ａ】
2019517827.tif 000008
【図５Ｂ】
2019517827.tif 000009
【図６Ａ】
2019517827.tif 000010
【図６Ｂ】
2019517827.tif 000011
【図７Ａ】
2019517827.tif 000012
【図７Ｂ】
2019517827.tif 000013
【図８】
2019517827.tif 000014
【図９Ａ】
2019517827.tif 000015
【図９Ｂ】
2019517827.tif 000016
【図１０】
2019517827.tif 000017
【図１１】
2019517827.tif 000018
【図１２】
2019517827.tif 000019
【図１３Ａ】
2019517827.tif 000020
【図１３Ｂ】
2019517827.tif 000021
【図１４】
2019517827.tif 000022
【図１５】
2019517827.tif 000023
【図１６】
2019517827.tif 000024
【図１７】
2019517827.tif 000025
【図１８】
2019517827.tif 000026
【図１９】
2019517827.tif 000027
【図２０】
2019517827.tif 000028
【図２１】
2019517827.tif 000029
【図２２】
2019517827.tif 000030
【図２３】
2019517827.tif 000031
【図２４】
2019517827.tif 000032
【図２５】
2019517827.tif 000033
【図２６Ａ】
2019517827.tif 000034
【図２６Ｂ】
2019517827.tif 000035
【図２７】
2019517827.tif 000036
【図２８】
2019517827.tif 000037
【図２９】
2019517827.tif 000038
【図３０】
2019517827.tif 000039
【図３１】
2019517827.tif 000040
【図３２】
2019517827.tif 000041
【図３３】
2019517827.tif 000042
【図３４】
2019517827.tif 000043
【図３５】
2019517827.tif 000044
【国際調査報告】
2019517827.tif 000045
2019517827.tif 000046
2019517827.tif 000047
2019517827.tif 000048
2019517827.tif 000049